(57)【要約】  本発明は、横編み機を用いた手袋製造方法で、第一編針群で第一袋状部を編成した後に、第二袋状部を編成する第二袋状部形成工程を有する。第二袋状部形成工程は、本体部を編成する本体部編成工程と第一袋状部に連結する環状の袋基底部を編成する袋基底部編成工程を有する。袋基底部編成工程において、第二編針群のうち前布及び後布の一方を編成する一方の列の編針及びこの一方の列の第一編針群のうち第二編針群に隣接する少なくとも二つのフックに対応する編針により上記環状の袋基底部の一方の面を編成し、次いで第一編針群のうち上記袋基底部の一方の面を編成した第一編針群の編針に対向する他方の列の編針及び第二編針群の他方の列の編針により上記環状の袋基底部の他方の面を編成するもので、指股部に孔が発生し難い手袋を容易に製造することができる。
2013129336.tif 000002
【特許請求の範囲】
【請求項１】
手指を覆う複数の袋状部を構成する前布及び後布を備え、第一袋状部に隣接する第二袋状部が第一袋状部に連結する環状の袋基底部とその先端側に連結する筒状の本体部とを有する手袋を、フックを有する多数の編針がフック側の対向状態で二列に配設された横編機を用いて編成する手袋製造方法であって、  上記多数の編針が、第一袋状部を編成する第一編針群と、第二袋状部を編成する第二編針群とに区分けされ、  第一袋状部を編成する第一袋状部形成工程と、第一袋状部形成工程後に第二袋状部を編成する第二袋状部形成工程とを有し、  上記第二袋状部形成工程が、上記本体部を編成する本体部編成工程と、上記袋基底部を編成する袋基底部編成工程とを有し、  上記袋基底部編成工程において、  第二編針群のうち前布及び後布の一方を編成する一方の列の編針及びこの一方の列の第一編針群のうち第二編針群に隣接する少なくとも二つのフックに対応する編針により上記環状の袋基底部の一方の面を編成し、  次いで第一編針群のうち上記袋基底部の一方の面を編成した第一編針群の編針に対向する他方の列の編針及び第二編針群の他方の列の編針により上記環状の袋基底部の他方の面を編成する  ことを特徴とする。
【請求項２】
少なくとも上記第二袋状部形成工程の本体部編成工程の後に、第一編針群のうち第二編針群に隣接する少なくとも前後一対の編針、及び／又は第二編針群のうち第一編針群に隣接する少なくとも前後一対の編針により第一袋状部及び／又は第二袋状部の前布と後布とを連結する第一前後布連結部を編成する前後布連結工程をさらに有する請求項１に記載の手袋製造方法。
【請求項３】
上記前後布連結工程で前後布連結部の編成を行う編針として、上記第二袋状部形成工程の袋基底部編成工程で袋基底部の編成を行う第一編針群の編針と、この編針に隣接する編針とを用いる請求項２に記載の手袋製造方法。
【請求項４】
上記前後布連結工程が、上記第二袋状部形成工程の袋基底部編成工程の後に行われる請求項２又は請求項３に記載の手袋製造方法。
【請求項５】
上記第一編針群の反対側で第二編針群に隣接するとともに第三袋状部を編成する複数の編針である第三編針群が区分されており、  第三編針群により第三袋状部を編成する第三袋状部形成工程を有し、  上記第三袋状部形成工程が、  第三編針群により第三袋状部の本体部を編成する本体部編成工程と、  上記第三袋状部の本体部から手首方向に連設されるとともに第二袋状部及び第三袋状部を連結する環状の袋基底部を編成する袋基底部編成工程とを有し、  上記前後布連結工程が、上記第一前後布連結部とともに、第二袋状部及び／又は第三袋状部の前布と後布とを連結する第二前後布連結部を同一コースで編成する請求項４に記載の手袋製造方法。
【請求項６】
手指を覆う複数の袋状部を構成する前布及び後布を備え、薬指用袋状部に隣接する中指用袋状部が薬指用袋状部に連結する環状の袋基底部とその先端側に連結する筒状の本体部とを有し、中指用袋状部に隣接する人差し指用袋状部が中指用袋状部に連結する環状の袋基底部とその先端側に連結する筒状の本体部とを有し、小指用袋状部に隣接する三本胴用袋状部が小指用袋状部に連結する環状の袋基底部とその先端側に連結する筒状の本体部とを有し、四本胴用袋状部に隣接する親指用袋状部が四本胴用袋状部に連結する環状の袋基底部とその先端側に連結する筒状の本体部とを有する手袋を、フックを有する多数の編針がフック側の対向状態で二列に配設された横編機を用いて編成する手袋製造方法であって、  上記多数の編針が、親指用袋状部を編成する親指用編針群と、人差し指用袋状部を編成する人差し指用編針群と、中指用袋状部を編成する中指用編針群と、薬指用袋状部を編成する薬指用編針群と、小指用袋状部を編成する小指用編針群とに区分され、  小指用袋状部を編成する小指用袋状部形成工程と、  薬指用袋状部を編成する薬指用袋状部形成工程と、  薬指用袋状部形成工程の後に、中指用袋状部を編成する中指用袋状部形成工程と、  中指用袋状部形成工程の後に、人差し指用袋状部を編成する人差し指用袋状部形成工程と、  上記人差し指用袋状部形成工程後に、上記人差し指用袋状部、中指用袋状部及び薬指用袋状部から手首方向に連設される三本胴用袋状部を、上記人差し指用編針群と上記中指用編針群と上記薬指用編針群とを有する三本胴用編針群により編成する三本胴用袋状部形成工程と、  上記小指用袋状部形成工程及び三本胴用袋状部形成工程の後に、上記三本胴用袋状部及び小指用袋状部から手首方向に連設される四本胴用袋状部を、上記人差し指用編針群と上記中指用編針群と上記薬指用編針群と上記小指用編針群とを有する四本胴用編針群により編成する四本胴用袋状部形成工程と、  上記四本胴用袋状部形成工程後に、親指用袋状部を編成する親指用袋状部形成工程と、  上記親指用袋状部形成工程の後に、上記四本胴用袋状部及び親指用袋状部から手首方向に連設される袋状の五本胴用袋状部を、上記親指用編針群と上記四本胴用編針群とにより編成する五本胴用袋状部形成工程とを有し、  上記中指用袋状部形成工程が、  上記中指用袋状部の本体部を編成する本体部編成工程と、  上記中指用袋状部の袋基底部を編成する袋基底部編成工程とを有し、  この中指用袋状部形成工程の袋基底部編成工程において、  中指用編針群のうち前布及び後布の一方を編成する一方の列の編針及びこの一方の列の薬指用編針群のうち中指用編針群に隣接する少なくとも二つのフックに対応する編針により上記環状の袋基底部の一方の面を編成し、  次いで薬指用編針群のうち上記袋基底部の一方の面を編成した薬指用編針群の編針に対向する他方の列の編針及び中指用編針群の他方の列の編針により上記環状の袋基底部の他方の面を編成し、  上記人差し指用袋状部形成工程が、  上記人差し指用袋状部の本体部を編成する本体部編成工程と、  上記人差し指用袋状部の袋基底部を編成する袋基底部編成工程とを有し、  この人差し指用袋状部形成工程の袋基底部編成工程において、  人差し指用編針群の��ち前布及び後布の一方を編成する一方の列の編針及びこの一方の列の中指用編針群のうち人差し指用編針群に隣接する少なくとも二つのフックに対応する編針により上記環状の袋基底部の一方の面を編成し、  次いで中指用編針群のうち上記袋基底部の一方の面を編成した中指用編針群の編針に対向する他方の列の編針及び人差し指用編針群の他方の列の編針により袋基底部の他方の面を編成し、  上記三本胴用袋状部形成工程が、  上記三本胴用袋状部の本体部を編成する本体部編成工程と、上記三本胴用袋状部の袋基底部を編成する袋基底部編成工程とを有し、  この三本胴用袋状部形成工程の袋基底部編成工程において、  三本胴用編針群のうち前布及び後布の一方を編成する一方の列の編針、並びにこの一方の列の小指用編針群のうち薬指用編針群に隣接する少なくとも二つのフックに対応する編針により上記環状の袋基底部の一方の面を編成し、  次いで小指用編針群のうち上記袋基底部の一方の面を編成した小指用編針群の編針に対向する他方の列の編針及び三本胴用編針群の他方の列の編針により上記環状の袋基底部の他方の面を編成し、  上記親指用袋状部形成工程が、  上記親指用袋状部の本体部を編成する本体部編成工程と、  上記親指用袋状部の袋基底部を編成する袋基底部編成工程とを有し、  この親指用袋状部形成工程の袋基底部編成工程において、  親指用編針群のうち前布及び後布の一方を編成する一方の列の編針、及びこの編針に隣接する一方の列の人差し指用編針群のうち親指用編針群に隣接する少なくとも二つのフックに対応する編針により上記環状の袋基底部の一方の面を編成し、  次いで人差し指用編針群のうち上記袋基底部の一方の面を編成した人差し指用編針群の編針に対向する他方の列の編針、及び親指用編針群の他方の列の編針により上記環状の袋基底部の他方の面を編成することを特徴とする手袋製造方法。
【請求項７】
手指を覆う複数の袋状部を構成する前布及び後布を備え、小指用袋状部に隣接する薬指用袋状部が小指用袋状部に連結する環状の袋基底部とその先端側に連結する筒状の本体部とを有し、薬指用袋状部に隣接する中指用袋状部が薬指用袋状部に連結する環状の袋基底部とその先端側に連結する筒状の本体部とを有し、中指用袋状部に隣接する人差し指用袋状部が中指用袋状部に連結する環状の袋基底部とその先端側に連結する筒状の本体部とを有し、四本胴用袋状部に隣接する親指用袋状部が四本胴用袋状部に連結する環状の袋基底部とその先端側に連結する筒状の本体部とを有する手袋を、フックを有する多数の編針がフック側の対向状態で二列に配設された横編機を用いて編成する手袋製造方法であって、  上記多数の編針が、親指用袋状部を編成する親指用編針群と、人差し指用袋状部を編成する人差し指用編針群と、中指用袋状部を編成する中指用編針群と、薬指用袋状部を編成する薬指用編針群と、小指用袋状部を編成する小指用編針群とに区分され、  小指用袋状部を編成する小指用袋状部形成工程と、  小指用袋状部形成工程の後に、薬指用袋状部を編成する薬指用袋状部形成工程と、  薬指用袋状部形成工程の後に、中指用袋状部を編成する中指用袋状部形成工程と、  中指用袋状部形成工程の後に、人差し指用袋状部を編成する人差し指用袋状部形成工程と、  上記人差し指用袋状部形成工程後に、上記人差し指用袋状部、中指用袋状部、薬指用袋状部及び小指用袋状部から手首方向に連設される四本胴用袋状部を、上記人差し指用編針群と上記中指用編針群と上記薬指用編針群と上記小指用編針群とを有する四本胴用編針群により編成する四本胴用袋状部形成工程と、  上記四本胴用袋状部形成工程後に、親指用袋状部を編成する親指用袋状部形成工程と、  上記親指用袋状部形成工程の後に、上記四本胴用袋状部及び親指用袋状部から手首方向に連設される袋状の五本胴用袋状部を、上記親指用編針群と上記四本胴用編針群とにより編成する五本胴用袋状部形成工程とを有し、  上記薬指用袋状部形成工程が、  上記薬指用袋状部の本体部を編成する本体部編成工程と、  上記薬指用袋状部の袋基底部を編成する袋基底部編成工程とを有し、  この薬指用袋状部形成工程の袋基底部編成工程において、  薬指用編針群のうち前布及び後布の一方を編成する一方の列の編針及びこの一方の列の小指用編針群のうち薬指用編針群に隣接する少なくとも二つのフックに対応する編針により上記環状の袋基底部の一方の面を編成し、  次いで小指用編針群のうち上記袋基底部の一方の面を編成した小指用編針群の編針に対向する他方の列の編針及び薬指用編針群の他方の列の編針により上記環状の袋基底部の他方の面を編成し、  上記中指用袋状部形成工程が、  上記中指用袋状部の本体部を編成する本体部編成工程と、  上記中指用袋状部の袋基底部を編成する袋基底部編成工程とを有し、  この中指用袋状部形成工程の袋基底部編成工程において、  中指用編針群のうち前布及び後布の一方を編成する一方の列の編針及びこの一方の列の薬指用編針群のうち中指用編針群に隣接する少なくとも二つのフックに対応する編針により上記環状の袋基底部の一方の面を編成し、  次いで薬指用編針群のうち上記袋基底部の一方の面を編��した薬指用編針群の編針に対向する他方の列の編針及び中指用編針群の他方の列の編針により上記環状の袋基底部の他方の面を編成し、  上記人差し指用袋状部形成工程が、  上記人差し指用袋状部の本体部を編成する本体部編成工程と、  上記人差し指用袋状部の袋基底部を編成する袋基底部編成工程とを有し、  この人差し指用袋状部形成工程の袋基底部編成工程において、  人差し指用編針群のうち前布及び後布の一方を編成する一方の列の編針及びこの一方の列の中指用編針群のうち人差し指用編針群に隣接する少なくとも二つのフックに対応する編針により上記環状の袋基底部の一方の面を編成し、  次いで中指用編針群のうち上記袋基底部の一方の面を編成した中指用編針群の編針に対向する他方の列の編針及び人差し指用編針群の他方の列の編針により袋基底部の他方の面を編成し、  上記親指用袋状部形成工程が、  上記親指用袋状部の本体部を編成する本体部編成工程と、  上記親指用袋状部の袋基底部を編成する袋基底部編成工程とを有し、  この親指用袋状部形成工程の袋基底部編成工程において、  親指用編針群のうち前布及び後布の一方を編成する一方の列の編針及びこの編針に隣接する一方の列の人差し指用編針群のうち親指用編針群に隣接する少なくとも二つのフックに対応する編針により上記環状の袋基底部の一方の面を編成し、  次いで人差し指用編針群のうち上記袋基底部の一方の面を編成した人差し指用編針群の編針に対向する他方の列の編針及び親指用編針群の他方の列の編針により袋基底部の他方の面を編成することを特徴とする手袋製造方法。
【請求項８】
１３ゲージ以上で編成されている請求項１から請求項７の何れか１項に記載の手袋製造方法。
【請求項９】
請求項１から請求項８の何れか１項に記載の手袋製造方法と、  上記手袋製造方法により製造された手袋の少なくとも掌領域にコーティング層を形成するコーティング層形成工程とを有するコーティング手袋製造方法。
【請求項１０】
横編み機を用いて編成された前布及び後布により胴用の袋状部と、胴用の袋状部から突設される各指に対応する複数の指用の袋状部とが構成される手袋であって、  上記袋状部が、本体部と、本体部から手首方向に連設される環状の袋基底部とを有し、  少なくとも何れかの一つの袋状部の袋基底部が、  上記本体部の前布から手首方向に連設される前面部位、  この前面部位と同一コースで連続し、上記袋状部の一方側に隣接する他の袋状部の袋基底部の他方側の少なくとも二目の前布から手首方向に連設される袋状部連結前側部位、  この袋状部連結前側部位と同一コースで連続し、上記袋状部の一方側に隣接する他の袋状部の袋基底部の他方側の少なくとも二目の後布から手首方向に連設される袋状部連結後側部位、及び  この袋状部連結後側部位と同一コースで連続し、上記本体部の後布から手首方向に連設される後面部位を有することを特徴とする手袋。
【請求項１１】
袋状部間の指股部に、前布と後布とを連結する前後布連結部をさらに有する請求項１０に記載の手袋。
【請求項１２】
上記前後布連結部が、上記袋状部連結前側部位及び上記袋状部連結後側部位のウェール方向に設けられている請求項１１に記載の手袋。
【請求項１３】
上記前後布連結部が、上記前面部位、袋状部連結前側部位、袋状部連結後側部位及び後面部位よりも手首方向に設けられている請求項１１又は請求項１２に記載の手袋。
【請求項１４】
少なくとも二つの袋状部の袋基底部が、それぞれ上記前面部位、袋状部連結前側部位、袋状部連結後側部位、後面部位及び前後布連結部を有し、  この少なくとも二つの袋状部の袋基底部の前後布連結部が、同一コースで設けられている請求項１３に記載の手袋。
【請求項１５】
１３ゲージ以上で編成されている請求項１０から請求項１４の何れか１項に記載の手袋。
【請求項１６】
請求項１０から請求項１５の何れか１項に記載の手袋と、  上記手袋の少なくとも掌領域に形成されたコーティング層とを有するコーティング手袋。
【発明の詳細な説明】
【技術分野】
【０００１】  本発明は、手袋製造方法、コーティング手袋製造方法、手袋及びコーティング手袋に関する。
【背景技術】
【０００２】  従来、手袋を編成するにあたって、多数の編針が略平行に前後二列で配列された横編み機が用いられている。このような横編み機を用いて、一般的には、小指用袋状部、薬指用袋状部、中指用袋状部、人差し指用袋状部、三本胴用袋状部、四本胴用袋状部、親指用袋状部及び五本胴用袋状部が順次形成されて、手袋が製造される。【０００３】  この手袋の製造に際しては、袋状部間の指股部に孔が生じないように、カミソリと呼ばれる抑止杆が利用されている。具体的には、例えば薬指の袋状部を編成した後に、この薬指の袋状部の編み目のうち中指側の編み目を抑止杆で保持する。この抑止杆に保持された編み目に挿通する状態の編針及びこの編針の隣接する中指側の編針によって、中指の袋状部を編成し、同様に人差し指の袋状部を編成する。そして、その後、三本胴を形成する際に、抑止杆の保持を解除することで、薬指用袋状部と中指用袋状部と人差し指の袋状部とが連結されることになる。【０００４】  しかし、抑止杆を用いた製造では以下の問題点がある。（１）抑止杆の調節が困難、かつ煩雑であるばかりか、抑止杆の動作に不具合が生じた場合に不良品の手袋が製造され生産効率が低下する点。（２）抑止杆自体の加工が困難であり、また抑止杆が消耗品であるため、製造コストが嵩む点。（３）ゲージ数の大きい手袋を作成する場合には、使用する糸が細く、抑止杆の摩擦によって糸が切れてしまうおそれが高くなる点。（４）抑止杆を用いて編成される構造の手袋にあっては、指股部の柔軟性に欠ける。このため手袋を手型に嵌めてコーティング層を形成してコーティング手袋を製造する場合には、手袋が手型にフィットしにくく、指股部にコーティング不良を招くおそれがある点。【０００５】  また、手袋の編成方法としては、特公昭６１−３２４２０号公報所載の方法が公知である。この公報には、三本胴用袋状部と小指用袋状部との間の指股部の編成に際して抑止杆を用いない方法が記載されている。この公報所載の方法を具体的に説明すると、小指用袋状部を編成した後に、この小指用袋状部を編成した編針とは異なる編針によって三本胴用袋状部を編成し、この三本胴用袋状部の最後二回の周回コースのうち、先の第一周回コースにおいて、三本胴用袋状部を編成する編針とともに小指用袋状部を編成した編針のうち三本胴用袋状部側で、かつ前側の編針も用いて編成し、後の第二周回コース（最終周回コース）において、三本胴用袋状部を編成する編針とともに小指用袋状部を編成した編針のうち三本胴用袋状部側で、かつ後側の編針も用いて編成している。また、この公報所載の方法は、三本胴用袋状部の編成の後に行う四本胴用袋状部の編成の最初の周回コースにおいて、上記指股部でタック編みを行う方法である。【０００６】  しかし、上記公報所載の方法では、三本胴用袋状部の最後二回の第一及び第二周回コースが、それぞれ前布又は後布の何れか一方でのみ小指用袋状部と連結されているに過ぎず、指股部に孔が生じやすい。つまり、例えば第一周回コース（先の周回コース）においては、三本胴用袋状部と小指用袋状部とは、小指用袋状部の前布の一目のみで連結されているに過ぎず、このため前布には依然として孔が生じやすい。また同様に、第二周回コース��後の周回コース）においても、三本胴用袋状部と小指用袋状部とは、小指用袋状部の前布の一目のみで連結されているに過ぎず、このため前布には孔が生じやすい。このように、最後二回の第一及び第二周回コースではそれぞれ前布及び後布に孔が生じやすいので、相乗的に指股部に孔がより生じやすくなっており、結果的に指股部の孔の発生を的確に防止できない。【０００７】  また、上記公報所載の方法は、四本胴用袋状部の編成の最初の周回コースにおいて、上記指股部でタック編みを行っているが、タック部分は二重となるため伸縮性及び柔軟性に欠ける。このため、この手袋をコーティング手袋の製造に用いた場合には、手袋が手型にフィットしにくく、指股部のコーティング不良を招くおそれがある。【０００８】  さらに、上記公報所載には、三本胴の最後の周回コースの他の実施形態も開示されている。この他の実施形態は、三本胴の最後三回の周回コースにおいて、先二回の周回コースについて既述の第一及び第二周回コース（前後それぞれ一目のみ連結）を行ったうえで、最終周回コースで、三本胴用袋状部を編成する編針とともに小指用袋状部を編成した編針のうち第一及び第二周回コースで用いた編針も用いて編成している。つまり、この最終周回コースでは、小指用袋状部の前布及び後布のそれぞれ一目が設けられる。【０００９】  しかし、このような最後三回の周回コースによる方法は、最終周回コースで前布及び後布双方において三本胴用袋状部と小指用袋状部とが連結されているため、第一及び第二周回コースに比べれば孔が生じ難いものの、この最終周回コースにおいて小指用袋状部の前後一目のみで連結されているに過ぎない。このため、糸の緩み等が生じた場合には指股部に孔が生じてしまう。特に、ゲージ数の大きい手袋では使用する糸が細いため、前後一目のみで連結しても十分に三本胴用袋状部と小指用袋状部とを連結できず、結果として指股部に孔が生じやすい。【００１０】  また、上述したような最後三回の周回コースによる方法では、複数の同一編針（三本胴用袋状部及び小指用袋状部の互いに隣接する部分の前後の編針）を制御して、異なる周回コースを行うため、この編み目部分の構造が複雑化してしまい、着用者に違和感を与え易い。さらに、指股部が開く方向に力が作用した場合に、複雑な構造のため各周回コースに均等に力が分散せずに、何れかの周回コースの糸にのみ力が集中してしまい、その部分の糸が伸びやすく、結果として指股部の孔の発生を的確に阻止できない。【００１１】  しかも、上述したように最後三回の周回コースによる方法では、三種類の周回コースを行うための制御が必要となり、制御方法が複雑化する。特に、従来公知の横編み機にあっては周回コースごとに使用する編針の選定を一般的に選針ドラムによる制御によって行っているが、上述したように最後三回の周回コースをすべての指股部で行うとすると、編針の選定パターンが多くなり過ぎ、一般的な選針ドラムでは対応することができず、選針ドラム等の改造が必要となる。
【先行技術文献】
【特許文献】
【００１２】
【特許文献１】特公昭６１−３２４２０号公報
【発明の概要】
【発明が解決しようとする課題】
【００１３】  本発明は、これらの不都合に鑑みてなされたものである。そして、本発明の第一の課題は、指股部に孔が発生し難い手袋を容易に製造することができる手袋製造方法を提供することにある。また、本発明の第二の課題は、指股部にコーティング不良が生じないコーティング手袋製造方法を提供することにある。さらに、本発明の第三の課題は、容易に製造でき指股部に孔が発生し難い手袋を提供することにある。また、本発明の第四の課題は、容易に製造でき指股部のコーティングが良好なコーティング手袋を提供することにある。
【課題を解決するための手段】
【００１４】  上記第一の課題を解決するためになされた本発明に係る手袋製造方法は、  手指を覆う複数の袋状部を構成する前布及び後布を備え、第一袋状部に隣接する第二袋状部が第一袋状部に連結する環状の袋基底部とその先端側に連結する筒状の本体部とを有する手袋を、フックを有する多数の編針がフック側の対向状態で二列に配設された横編機を用いて編成する手袋製造方法であって、  上記多数の編針が、第一袋状部を編成する第一編針群と、第二袋状部を編成する第二編針群とに区分けされ、  第一袋状部を編成する第一袋状部形成工程と、第一袋状部形成工程後に第二袋状部を編成する第二袋状部形成工程とを有し、  上記第二袋状部形成工程が、上記本体部を編成する本体部編成工程と、上記袋基底部を編成する袋基底部編成工程とを有し、  上記袋基底部編成工程において、  第二編針群のうち前布及び後布の一方を編成する一方の列の編針及びこの一方の列の第一編針群のうち第二編針群に隣接する少なくとも二つのフックに対応する編針により上記環状の袋基底部の一方の面を編成し、  次いで第一編針群のうち上記袋基底部の一方の面を編成した第一編針群の編針に対向する他方の列の編針及び第二編針群の他方の列の編針により上記環状の袋基底部の他方の面を編成する  ことを特徴とする。【００１５】  当該手袋製造方法によって製造された手袋は、第二袋状部の本体部から環状の袋基底部が手首方向に連設され、この環状の袋基底部によって第一袋状部と第二袋状部とが連結されている。そして、この袋基底部は、第一袋状部の編み目のうち第二袋状部側に隣接する前後二目の編み目（前後合計四目の編み目）に編み込まれている。具体的には、この袋基底部は、第二袋状部の本体部の前布から手首方向に連設される前面部位と、この前面部位と同一コースで連続し、第一袋状部の編み目のうち第二袋状部側の少なくとも二目の前布から手首方向に連設される袋状部連結前側部位と、この袋状部連結前側部位と同一コースで連続し、第一袋状部の編み目のうち第二袋状部側の少なくとも二目の後布から手首方向に連設される袋状部連結後側部位と、この袋状部連結後側部位と同一コースで連続し、第二袋状部の本体部の後布から手首方向に連設される後面部位とを有することになる。【００１６】  当該手袋は、第二袋状部の袋基底部が、上述のように前布（前面部位及び袋状部連結前側部位）と後布（後面部位及び袋状部連結後側部位）との双方を有するので、前後双方で第一袋状部と第二袋状部とを確実に連結することができ、指股部の孔の発生を的確に防止することができる。さらに、袋状部連結前側部位及び袋状部連結後側部位は、それぞれ第一袋状部の少なくとも二目の編み目に編み込まれるので、第一袋状部と第二袋状部とをより確実に連結することができ、指股部の孔の発生をより的確に防止することができる。【００１７】  さらに、当該手袋製造方法は、従来の抑止杆を用いた製造方法に比べて容易、かつ確実に手袋を製造することができる。しかも、当該手袋製造方法は、従来の最後三回の周回コースを異なるパターンで編成する方法に比べて、編針の制御を容易に行うことができ、一般的に用いられる横編み機を用いて容易、かつ確実に製造することができる。特に、当該製造方法によって製造された手袋は、従来の最後三回の周回コースを異なるパターンで製造された手袋に比べて、指股部の構造が単純であるため着用者に違和感を与えにくく、また指股部に作用する力が均一に分散しやすく孔が生じ難い。【００１８】  また、当該手袋製造方法にあっては、少なくとも上記第二袋状部形成工程の本体部編成工程の後に、第一編針群のうち第二編針群に隣接する少なくとも前後一対の編針、及び／又は第二編針群のうち第一編針群に隣接する少なくとも前後一対の編針により第一袋状部及び／又は第二袋状部の前布と後布とを連結する第一前後布連結部を編成する前後布連結工程をさらに有することが好ましい。かかる構成からなる製造方法によれば、上記袋基底部が、前布と後布とを連結する第一前後布連結部を有する手袋を製造することができる。このように製造された手袋は、前布及び後布が前後布連結部によって連結されるため、袋基底部に孔がより発生し難くなる。【００１９】  この前後布連結工程で前後布連結部の編成を行う編針としては、上記第二袋状部形成工程の袋基底部編成工程で袋基底部の編成を行う第一編針群の編針と、この編針に隣接する編針とを用いることが好ましい。これにより、前後布連結部が袋状部連結前側部位及び袋状部連結後側部位のウェール方向に位置することになり、この前後布連結部によって袋状部連結前側部位及び袋状部連結後側部位に前後方向に開く力が作用し難くなり、前後布連結部によって効果的に袋基底部の孔の発生を防止することができる。【００２０】  さらに、上記前後布連結工程を、第二袋状部形成工程の袋基底部編成工程の前に行うことも可能であるが、上記袋基底部編成工程の後に行うことが好ましい。このように前後布連結工程を袋基底部編成工程の前に行った場合には、指股部において前後布連結部が外面側に表出することになる。一方、上述のように前後布連結工程を袋基底部編成工程の後に行った場合には、袋状部同士を連結する部位よりも前後布連結部が内面側に位置することになる。このため、指股部の手首側で前布と後布とを開く方向に力が作用した際（例えば着用者が手袋を着用した際）に、この前布と後布とを開く方向に作用する力は、袋基底部よりも内面側に位置する前後布連結部に作用し易くなり、袋状部連結前側部位及び袋状部連結後側部位を前後方向に開く力が作用し難いので、指股部の孔の発生をより的確に防止することができる。【００２１】  また、上記のように前後布連結工程を袋基底部編成工程の後に行う場合には、この前後布連結工程によって他の袋状部同士の間の指股部の第二前後布連結部を同一コースで編成することが好ましい。つまり、上記第一編針群の反対側で第二編針群に隣接するとともに第三袋状部を編成する複数の編針である第三編針群が区分されており、第三編針群により第三袋状部を編成する第三袋状部形成工程を有し、上記第三袋状部形成工程が、第三編針群により第三袋状部の本体部を編成する本体部編成工程と、上記第三袋状部の本体部から手首方向に連設されるとともに第二袋状部及び第三袋状部を連結する環状の袋基底部を編成する袋基底部編成工程とを有し、上記前後布連結工程が、上記第一前後布連結部と第二前後布連結部を同一コースで編成することが好ま���い。なお、ここで第二前後布連結部とは、第二袋状部と第三袋状部との指股部において第二袋状部及び／又は第三袋状部の前布と後布とを連結する部分を意味する。上記構成を採用することにより、同一コースで複数の前後布連結部を形成することができ、編針の制御を容易に行うことができ、一般的に用いられる横編み機を用いて容易、かつ確実に製造することができる。また、同一コースで複数の前後布連結部を形成することができるので、製造時間の短縮化が図られる。【００２２】  また、上記第一の課題を解決するためになされた本発明に係る手袋製造方法は、  手指を覆う複数の袋状部を構成する前布及び後布を備え、薬指用袋状部に隣接する中指用袋状部が薬指用袋状部に連結する環状の袋基底部とその先端側に連結する筒状の本体部とを有し、中指用袋状部に隣接する人差し指用袋状部が中指用袋状部に連結する環状の袋基底部とその先端側に連結する筒状の本体部とを有し、小指用袋状部に隣接する三本胴用袋状部が小指用袋状部に連結する環状の袋基底部とその先端側に連結する筒状の本体部とを有し、四本胴用袋状部に隣接する親指用袋状部が四本胴用袋状部に連結する環状の袋基底部とその先端側に連結する筒状の本体部とを有する手袋を、フックを有する多数の編針がフック側の対向状態で二列に配設された横編機を用いて編成する手袋製造方法であって、  上記多数の編針が、親指用袋状部を編成する親指用編針群と、人差し指用袋状部を編成する人差し指用編針群と、中指用袋状部を編成する中指用編針群と、薬指用袋状部を編成する薬指用編針群と、小指用袋状部を編成する小指用編針群とに区分され、  小指用袋状部を編成する小指用袋状部形成工程と、  薬指用袋状部を編成する薬指用袋状部形成工程と、  薬指用袋状部形成工程の後に、中指用袋状部を編成する中指用袋状部形成工程と、  中指用袋状部形成工程の後に、人差し指用袋状部を編成する人差し指用袋状部形成工程と、  上記人差し指用袋状部形成工程後に、上記人差し指用袋状部、中指用袋状部及び薬指用袋状部から手首方向に連設される三本胴用袋状部を、上記人差し指用編針群と上記中指用編針群と上記薬指用編針群とを有する三本胴用編針群により編成する三本胴用袋状部形成工程と、  上記小指用袋状部形成工程及び三本胴用袋状部形成工程の後に、上記三本胴用袋状部及び小指用袋状部から手首方向に連設される四本胴用袋状部を、上記人差し指用編針群と上記中指用編針群と上記薬指用編針群と上記小指用編針群とを有する四本胴用編針群により編成する四本胴用袋状部形成工程と、  上記四本胴用袋状部形成工程後に、親指用袋状部を編成する親指用袋状部形成工程と、  上記親指用袋状部形成工程の後に、上記四本胴用袋状部及び親指用袋状部から手首方向に連設される袋状の五本胴用袋状部を、上記親指用編針群と上記四本胴用編針群とにより編成する五本胴用袋状部形成工程とを有し、  上記中指用袋状部形成工程が、  上記中指用袋状部の本体部を編成する本体部編成工程と、  上記中指用袋状部の袋基底部を編成する袋基底部編成工程とを有し、  この中指用袋状部形成工程の袋基底部編成工程において、  中指用編針群のうち前布及び後布の一方を編成する一方の列の編針及びこの一方の列の薬指用編針群の��ち中指用編針群に隣接する少なくとも二つのフックに対応する編針により上記環状の袋基底部の一方の面を編成し、  次いで薬指用編針群のうち上記袋基底部の一方の面を編成した薬指用編針群の編針に対向する他方の列の編針及び中指用編針群の他方の列の編針により上記環状の袋基底部の他方の面を編成し、  上記人差し指用袋状部形成工程が、  上記人差し指用袋状部の本体部を編成する本体部編成工程と、  上記人差し指用袋状部の袋基底部を編成する袋基底部編成工程とを有し、  この人差し指用袋状部形成工程の袋基底部編成工程において、  人差し指用編針群のうち前布及び後布の一方を編成する一方の列の編針及びこの一方の列の中指用編針群のうち人差し指用編針群に隣接する少なくとも二つのフックに対応する編針により上記環状の袋基底部の一方の面を編成し、  次いで中指用編針群のうち上記袋基底部の一方の面を編成した中指用編針群の編針に対向する他方の列の編針及び人差し指用編針群の他方の列の編針により袋基底部の他方の面を編成し、  上記三本胴用袋状部形成工程が、  上記三本胴用袋状部の本体部を編成する本体部編成工程と、上記三本胴用袋状部の袋基底部を編成する袋基底部編成工程とを有し、  この三本胴用袋状部形成工程の袋基底部編成工程において、  三本胴用編針群のうち前布及び後布の一方を編成する一方の列の編針、並びにこの一方の列の小指用編針群のうち薬指用編針群に隣接する少なくとも二つのフックに対応する編針により上記環状の袋基底部の一方の面を編成し、  次いで小指用編針群のうち上記袋基底部の一方の面を編成した小指用編針群の編針に対向する他方の列の編針及び三本胴用編針群の他方の列の編針により上記環状の袋基底部の他方の面を編成し、  上記親指用袋状部形成工程が、  上記親指用袋状部の本体部を編成する本体部編成工程と、  上記親指用袋状部の袋基底部を編成する袋基底部編成工程とを有し、  この親指用袋状部形成工程の袋基底部編成工程において、  親指用編針群のうち前布及び後布の一方を編成する一方の列の編針、及びこの編針に隣接する一方の列の人差し指用編針群のうち親指用編針群に隣接する少なくとも二つのフックに対応する編針により上記環状の袋基底部の一方の面を編成し、  次いで人差し指用編針群のうち上記袋基底部の一方の面を編成した人差し指用編針群の編針に対向する他方の列の編針、及び親指用編針群の他方の列の編針により上記環状の袋基底部の他方の面を編成する  ことを特徴とする。【００２３】  当該手袋製造方法によって製造された手袋は、中指用袋状部、人差し指用袋状部、三本胴用袋状部及び親指用袋状部の各本体部からそれぞれ環状の袋基底部が手首方向に連設され、この環状の袋基底部によって隣接する袋状部と連結された手袋を製造することができる。そして、この手袋の上記袋基底部は、隣接する袋状部の編み目のうち前後二目の編み目（合計四目の編み目）に編み込まれることになる。このように袋基底部の前布と後布との双方で袋状部同士を確実に連結することができ、指股部の孔の発生を的確に防止することができる。さらに、この袋基底部の前布及び後布はそれぞれ隣接する袋状部の少なくとも二目の編み目に編み込まれるので、袋状部同士をより確実に連結することができ���指股部の孔の発生をより的確に防止することができる。しかも、当該手袋製造方法は、従来の抑止杆を用いた製造方法に比べて容易、かつ確実に手袋を製造することができる。また、当該手袋製造方法は、従来の最後三回の周回コースを異なるパターンで編成する方法に比べて、編針の制御を容易に行うことができ、一般的に用いられる横編み機を用いて容易、かつ確実に製造することができる。特に、当該製造方法によって製造された手袋は、従来の最後三回の周回コースを異なるパターンで製造された手袋に比べて、指股部の構造が単純であるため着用者に違和感を与えにくく、また指股部に作用する力が均一に分散しやすく孔が生じ難い。【００２４】  手指を覆う複数の袋状部を構成する前布及び後布を備え、小指用袋状部に隣接する薬指用袋状部が小指用袋状部に連結する環状の袋基底部とその先端側に連結する筒状の本体部とを有し、薬指用袋状部に隣接する中指用袋状部が薬指用袋状部に連結する環状の袋基底部とその先端側に連結する筒状の本体部とを有し、中指用袋状部に隣接する人差し指用袋状部が中指用袋状部に連結する環状の袋基底部とその先端側に連結する筒状の本体部とを有し、四本胴用袋状部に隣接する親指用袋状部が四本胴用袋状部に連結する環状の袋基底部とその先端側に連結する筒状の本体部とを有する手袋を、フックを有する多数の編針がフック側の対向状態で二列に配設された横編機を用いて編成する手袋製造方法であって、  上記多数の編針が、親指用袋状部を編成する親指用編針群と、人差し指用袋状部を編成する人差し指用編針群と、中指用袋状部を編成する中指用編針群と、薬指用袋状部を編成する薬指用編針群と、小指用袋状部を編成する小指用編針群とに区分され、  小指用袋状部を編成する小指用袋状部形成工程と、  小指用袋状部形成工程の後に、薬指用袋状部を編成する薬指用袋状部形成工程と、  薬指用袋状部形成工程の後に、中指用袋状部を編成する中指用袋状部形成工程と、  中指用袋状部形成工程の後に、人差し指用袋状部を編成する人差し指用袋状部形成工程と、  上記人差し指用袋状部形成工程後に、上記人差し指用袋状部、中指用袋状部、薬指用袋状部及び小指用袋状部から手首方向に連設される四本胴用袋状部を、上記人差し指用編針群と上記中指用編針群と上記薬指用編針群と上記小指用編針群とを有する四本胴用編針群により編成する四本胴用袋状部形成工程と、  上記四本胴用袋状部形成工程後に、親指用袋状部を編成する親指用袋状部形成工程と、  上記親指用袋状部形成工程の後に、上記四本胴用袋状部及び親指用袋状部から手首方向に連設される袋状の五本胴用袋状部を、上記親指用編針群と上記四本胴用編針群とにより編成する五本胴用袋状部形成工程とを有し、  上記薬指用袋状部形成工程が、  上記薬指用袋状部の本体部を編成する本体部編成工程と、  上記薬指用袋状部の袋基底部を編成する袋基底部編成工程とを有し、  この薬指用袋状部形成工程の袋基底部編成工程において、  薬指用編針群のうち前布及び後布の一方を編成する一方の列の編針、及びこの一方の列の小指用編針群のうち薬指用編針群に隣接する少なくとも二つのフックに対応する編針により上記環状の袋基底部の一方の面を編成し、  次いで小指用編針群のうち上記���基底部の一方の面を編成した小指用編針群の編針に対向する他方の列の編針、及び薬指用編針群の他方の列の編針により上記環状の袋基底部の他方の面を編成し、  上記中指用袋状部形成工程が、  上記中指用袋状部の本体部を編成する本体部編成工程と、  上記中指用袋状の袋基底部を編成する袋基底部編成工程とを有し、  この中指用袋状部形成工程の袋基底部編成工程において、  中指用編針群のうち前布及び後布の一方を編成する一方の列の編針、及びこの一方の列の薬指用編針群のうち中指用編針群に隣接する少なくとも二つのフックに対応する編針により上記環状の袋基底部の一方の面を編成し、  次いで薬指用編針群のうち上記袋基底部の一方の面を編成した薬指用編針群の編針に対向する他方の列の編針、及び中指用編針群の他方の列の編針により上記環状の袋基底部の他方の面を編成し、  上記人差し指用袋状部形成工程が、  上記人差し指用袋状部の本体部を編成する本体部編成工程と、  上記人差し指用袋状部の袋基底部を編成する袋基底部編成工程とを有し、  この人差し指用袋状部形成工程の袋基底部編成工程において、  人差し指用編針群のうち前布及び後布の一方を編成する一方の列の編針及びこの一方の列の中指用編針群のうち人差し指用編針群に隣接する少なくとも二つのフックに対応する編針により上記環状の袋基底部の一方の面を編成し、  次いで中指用編針群のうち上記袋基底部の一方の面を編成した中指用編針群の編針に対向する他方の列の編針及び人差し指用編針群の他方の列の編針により袋基底部の他方の面を編成し、  上記親指用袋状部形成工程が、  上記親指用袋状部の本体部を編成する本体部編成工程と、  上記親指用袋状部の袋基底部を編成する袋基底部編成工程とを有し、  この親指用袋状部形成工程の袋基底部編成工程において、  親指用編針群のうち前布及び後布の一方を編成する一方の列の編針及びこの編針に隣接する一方の列の人差し指用編針群のうち親指用編針群に隣接する少なくとも二つのフックに対応する編針により上記環状の袋基底部の一方の面を編成し、  次いで人差し指用編針群のうち上記袋基底部の一方の面を編成した人差し指用編針群の編針に対向する他方の列の編針及び親指用編針群の他方の列の編針により袋基底部の他方の面を編成する  ことを特徴とする。【００２５】  当該手袋製造方法によって製造された手袋は、薬指用袋状部、中指用袋状部、人差し指用袋状部及び親指用袋状部の各本体部からそれぞれ環状の袋基底部が手首方向に連設され、この環状の袋基底部によって隣接する袋状部と連結された手袋を製造することができる。そして、この手袋の上記袋基底部は、隣接する袋状部の編み目のうち前後二目の編み目（合計四目の編み目）に編み込まれることになる。このように袋基底部の前布と後布との双方で袋状部同士を確実に連結することができ、指股部の孔の発生を的確に防止することができる。さらに、この袋基底部の前布及び後布はそれぞれ隣接する袋状部の少なくとも二目の編み目に編み込まれるので、袋状部同士をより確実に連結することができ、指股部の孔の発生をより的確に防止することができる。しかも、当該手袋製造方法は、従来の抑止杆を用いた製造方法に比べて容易、かつ確実に手袋を製造することができる。また、当該手袋製造方法は、従来の最後三回の周回コースを異なるパターンで編成する方法に比べて、編針の制御を容易に行うことができ、一般的に用いられる横編み機を用いて容易、かつ確実に製造することができる。特に、当該製造方法によって製造された手袋は、従来の最後三回の周回コースを異なるパターンで製造された手袋に比べて、指股部の構造が単純であるため着用者に違和感を与えにくく、また指股部に作用する力が均一に分散しやすく孔が生じ難い。【００２６】  当該手袋製造方法は、１３ゲージ以上で編成されていることが好ましい。これにより、薄手でフィット感に優れた手袋を製造することができる。しかも、当該手袋製造方法であれば、指股部の構造が上記構造となるため、１３ゲージ以上であっても指股部には孔が生じ難い。【００２７】  さらに、上記第二の課題を解決するためになされた本発明に係るコーティング手袋製造方法は、  上記構成からなる当該手袋製造方法と、  上記手袋製造方法により製造された手袋の少なくとも掌領域にコーティング層を形成するコーティング層形成工程とを有する。【００２８】  上記構成からなるコーティング手袋製造方法は、指股部に孔が生じ難い手袋を用いてコーティング手袋が製造されるので、指股部におけるコーティング不良が生じ難い。【００２９】  また、上記第三の課題を解決するためになされた本発明に係る手袋は、  横編み機を用いて編成された前布及び後布により胴用の袋状部と、胴用の袋状部から突設される各指に対応する複数の指用の袋状部とが構成される手袋であって、  上記袋状部が、本体部と、本体部から手首方向に連設される環状の袋基底部とを有し、  少なくとも何れかの一つの袋状部の袋基底部が、  上記本体部の前布から手首方向に連設される前面部位、  この前面部位と同一コースで連続し、上記袋状部の一方側に隣接する他の袋状部の袋基底部の他方側の少なくとも二目の前布から手首方向に連設される袋状部連結前側部位、  この袋状部連結前側部位と同一コースで連続し、上記袋状部の一方側に隣接する他の袋状部の袋基底部の他方側の少なくとも二目の後布から手首方向に連設される袋状部連結後側部位、及び  この袋状部連結後側部位と同一コースで連続し、上記本体部の後布から手首方向に連設される後面部位を有することを特徴とする。【００３０】  当該手袋は少なくとも何れか一つの袋状部の袋基底部は、前面部位及び袋状部連結前側部位（前布）と、後面部位及び袋状部連結後側部位（後布）とを有し、前後双方で袋状部同士を確実に連結することができ、指股部の孔の発生を的確に防止することができる。さらに、袋状部連結前側部位及び袋状部連結後側部位は、それぞれ隣接する袋状部の少なくとも二目の編み目に編み込まれるので、袋状部同士をより確実に連結することができ、指股部の孔の発生をより的確に防止することができる。さらに、当該手袋は、従来の抑止杆を用いた製造方法に比べて容易、かつ確実に製造することができる。しかも、当該手袋は、従来の最後三回の周回コースを異なるパターンで編成する方法に比べて、製造時の編針の制御を容易に行え、一般的に用いられる横編み機を用いて容易、かつ確実に製造することができる。特に、当該手袋は、従来の最後三回の周回コ��スを異なるパターンで製造された手袋に比べて、指股部の構造が単純であるため着用者に違和感を与えにくく、また指股部に作用する力が均一に分散しやすく孔が生じ難い。【００３１】  また、当該手袋にあっては、上記袋基底部が、前布と後布とを連結する前後布連結部を有することが好ましい。これにより、前布及び後布が前後布連結部によって連結されるため、袋基底部に孔がより発生し難くなる。【００３２】  上記前後布連結部は、上記袋状部連結前側部位及び上記袋状部連結後側部位のウェール方向に設けられていることが好ましい。これにより、この前後布連結部によって袋状部連結前側部位及び袋状部連結後側部位に前後方向に開く力が作用し難くなり、前後布連結部によって効果的に袋基底部の孔の発生を防止することができる。【００３３】  さらに、上記前後布連結部が、上記袋状部連結前側部位等よりも指先方向に設けられた構成を採用することも可能であるが、前後布連結部は、上記前面部位、袋状部連結前側部位、袋状部連結後側部位及び後面部位よりも手首方向に設けられていることが好ましい。つまり、前後布連結部を袋状部連結前側部位等よりも指先方向に設けた場合には、指股部において前後布連結部が外面側に表出することになる。一方、上述のように前後布連結部を袋状部連結前側部位等よりも手首方向に設けた構成の場合には、前後布連結部が袋状部連結前側部位等よりも内面側に位置する。このため、指股部の手首側で前布と後布とを開く方向に力が作用した際（例えば着用者が手袋を着用した際）に、この前布と後布とを開く方向に作用する力は、袋基底部よりも内面側に位置する前後布連結部に作用し易くなり、袋状部連結前側部位及び袋状部連結後側部位を前後方向に開く力が作用し難いので、指股部の孔の発生をより的確に防止することができる。【００３４】  また、上記のように前後布連結部を手首方向に設ける場合には、この前後布連結部と同一コースで他の袋状部間の指股部において前布及び後布を連結する他の前後布連結部が設けられていることが好ましい。つまり、当該手袋は、少なくとも二つの袋状部の袋基底部が、それぞれ上記前面部位、袋状部連結前側部位、袋状部連結後側部位、後面部位及び前後布連結部を有し、この少なくとも二つの袋状部の袋基底部の前後布連結部が、同一コースで設けられている構成を採用することが好ましい。これにより、同一コースで複数の前後布連結部を形成することができ、製造時の編針の制御を容易に行うことができ、一般的に用いられる横編み機を用いて容易、かつ確実に製造することができる。また、同一コースで複数の前後布連結部を形成することができるので、当該手袋の製造時間の短縮化が図られる。【００３５】  さらに、当該手袋は、１３ゲージ以上で編成されていることが好ましい。これにより、当該手袋を薄手でフィット感に優れたものとすることができる。しかも、当該手袋は、指股部が上記構造からなるので、１３ゲージ以上であっても指股部には孔が生じ難い。【００３６】  また、上記第四の課題を解決するためになされた本発明に係るコーティング手袋は、  上記構成からなる当該手袋と、  上記手袋の少なくとも掌領域に形成されたコーティング層とを有する。【００３７】  上記構成か��なるコーティング手袋は、指股部に孔が生じ難い手袋を用いて製造されるので、指股部におけるコーティング不良が生じ難い。【００３８】  なお、「多数の編針がフック側の対向状態で二列に配設」とは「編針がフック側を対向させた状態で前後二列に配列されている」ことで、前側の編針と後側の編針とが対をなしていることを意味し、対となる編針同士の位置が左右方向（前側の多数の編針の配列方向及び後側の多数の編針の配列方向）においてズレ（例えば配列方向に隣接する編針同士の間隔の半分程度のズレ）を生じている場合も含む。また、親指、人差し指、中指、薬指及び小指とは、解剖学上での第一指（ｆｉｒｓｔ  ｆｉｎｇｅｒ）、第二指（ｓｅｃｏｎｄ  ｆｉｎｇｅｒ）、第三指（ｔｈｉｒｄ  ｆｉｎｇｅｒ）、第四指（ｆｏｕｒｔｈ  ｆｉｎｇｅｒ）及び第五指（ｆｉｆｔｈ  ｆｉｎｇｅｒ）をそれぞれ意味する。
【発明の効果】
【００３９】  以上説明したように、当該手袋製造方法は、指股部に孔が発生し難い手袋を容易に製造することができる。また当該コーティング手袋製造方法は、指股部にコーティング不良が生じないコーティング手袋を容易に製造することができる。さらに、当該手袋は、容易に製造でき指股部に孔が発生し難い。また、当該コーティング手袋は、容易に製造でき指股部のコーティングが良好である。
【図面の簡単な説明】
【００４０】
【図１】本発明の一実施形態に係る手袋製造方法の編針の制御方法を説明するための選針ドラムのピンの配設図であって、後側の編針の制御を行うピンの配設図。
【図２】同実施形態に係る手袋製造方法の編針の制御方法を説明するための選針ドラムのピンの配設図であって、前側の編針の制御を行うピンの配設図。
【図３】同実施形態に係る手袋製造方法の編針の制御方法を説明するための選針ドラムのピンの配設図であって、要部を抽出した配設図。
【図４】同実施形態の手袋製造方法の指股部における編み目構造を説明するための模式的説明図であって、薬指用袋状部が編成された後の状態の模式的説明図。
【図５】同実施形態の手袋製造方法の指股部における編み目構造を説明するための模式的説明図であって、中指用袋状部の本体部が編成された後の状態の模式的説明図。
【図６】同実施形態の手袋製造方法の指股部における編み目構造を説明するための模式的説明図であって、中指用袋状部の袋基底部が編成された後の状態の模式的説明図。
【図７】同実施形態の手袋製造方法の指股部における編み目構造を説明するための模式的説明図であって、人差し指用袋状部の袋基底部が編成された後の状態の模式的説明図。
【図８】同実施形態の手袋製造方法の指股部における編み目構造を説明するための模式的説明図であって、第一前後布連結部及び第二前後布連結部が編成された後の状態の模式的説明図。
【発明を実施するための形態】
【００４１】  以下、適宜図面を参照しつつ本発明の実施の形態を詳説するが、まず本発明の一実施形態の手袋製造方法について説明する。
【００４２】［手袋製造方法］  本実施形態の手袋製造方法は、多数の編針が略平行に前後二列で配列され、前後の編針同士が対向するよう設けられた横編み機を用いて前布及び後布を有する手袋を形成する手袋製造方法である。
【００４３】＜横編み機＞  この横編み機は、従来公知の横編み機を用いることが可能であり、具体的には、前後一対の針床と、この針床に略平行に配設された多数の編針とを備え、この編針が針床の針口に出退可能に配置されている。そして、編針は、編糸を係止可能なフックを有している。本実施形態においては、編針は一つのフックを先端部に有している。なお、編針は、上記フックの開口を開閉するよう回動可能なベラを有するものを採用可能である。
【００４４】  上記編針は、カム機構に係脱可能なバットを有し、このバットがカム機構に係合することで編針が針口を出退するよう設けられている。また、各編針は上記バットとカム機構とを係脱すべく針床内に揺動可能に配設されている。
【００４５】  また、この横編み機は、針口に出退する編針を制御する制御手段を有している。この制御手段は、編針の揺動状態を制御し、編針から突設されるバットとカム機構との係脱を制御し、各コースの編み方に応じて編針の針口への出退を制御している。
【００４６】  具体的にこの制御手段は、外周に軸方向に沿った複数の溝が形成された回転体と、この回転体に着脱可能に取付けられるピンとからなる選針ドラムから構成されている。この回転体は、溝のピッチに応じて周方向に回転するよう設けられている。また、ピンは上記編針の配設間隔に応じた軸方向の長さを有し、回転体の回転角度によって各編針に当接可能に設けられている。この選針ドラムは、編針がピンに当接した場合には上記バットをカム機構から離脱させるよう編針を揺動させ、編針がピンと当接せずに回転体と当接する場合には上記バットをカム機構に係合させるよう編針を揺動させるものである。これにより、各コースの編み方に応じて回転体にピンを取り付けることによって、所望の編成がなされることになり、回転体の回転角度を変更することによって出退する編針を図１及び図２のＦ１〜Ｆ５３及びＢ１〜Ｂ５３のように選定できることになる。なお、本実施形態においては、回転体の一つのピンに一つの編針が当接し、この編針は一つのフックを有するので、回転体の一つのピンと手袋の一目とが対応関係にあることになる。
【００４７】＜ゲージ＞  当該手袋製造方法においては、２６ゲージで編成を行っている。なお、このゲージ数は、１３ゲージ以上であることが好ましく、２０ゲージ以上であることがより好ましく、２６ゲージ以上であることが特に好ましい。ゲージ数が上記下限値未満であると、編成される手袋が、厚手になり過ぎてフィット感に劣るおそれがある。
【００４８】  当該手袋製造方法において用いられる糸は、ウーリーナイロン等からなる糸が用いられる。なお、この糸は、ウーリーナイロンに限定されるものではなく、種々の糸を採用することが可能であり、例えばポリエステル等から構成することも可能である。また、この糸の太さは、１１デシテックス以上３８５デシテックス以下のものが好適に用いられ、３３デシテックス以上３０８デシテックス以下のものがより好適に用いられる。糸の太さが上記下限値未満であると、取扱いが困難となり製造コストが増大するおそれがあり、上記上限値を超えると糸が太くなり過ぎ所望のゲージ数での編成ができなくなるおそれがある。
【００４９】＜編針群の区分＞  当該手袋製造方法は、複数の編針が編針群を構成し、この編針群が複数の編針群として区分されている。つまり、複数の編針群は少なくとも、第一袋状部を編成するための複数の編針である第一編針群、第一編針群に隣接して第二袋状部を編成する複数の編針である第二編針群、及び第二編針群に隣接して（第一編針群の反対側）第三袋状部を編成する複数の編針である第三編針群として区分されている。
【００５０】  より具体的に説明すると、親指用袋状部を編成するための複数の編針（図１及び図２の６３〜８０）である親指用編針群、親指用編針群に隣接するとともに人差し指用袋状部を編成するための複数の編針（同図の４６〜６２）である人差し指用編針群、人差し指用編針群に隣接するとともに中指用袋状部を編成するための複数の編針（同図の３０〜４５）である中指用編針群、中指用編針群に隣接するとともに薬指用袋状部を編成するための複数の編針（同図の１５〜２９）である薬指用編針群、及び薬指用編針群に隣接するとともに小指用袋状部を編成するための複数の編針（同図の１〜１４）である小指用編針群が区分されている。
【００５１】  なお、本実施形態において、第一袋状部として薬指用袋状部、第二袋状部として中指用袋状部、及び第三袋状部として人差し指用袋状部を例にとり以下説明する。
【００５２】＜全体構成＞  本実施形態の手袋製造方法は、小指用袋状部、薬指用袋状部、中指用袋状部、人差し指用袋状部、三本胴用袋状部、四本胴用袋状部、親指用袋状部、五本胴用袋状部が順次編成されるもので、小指用袋状部形成工程Ｓ１００、薬指用袋状部形成工程Ｓ２００、中指用袋状部形成工程Ｓ３００、人差し指用袋状部形成工程Ｓ４００、前後布連結工程Ｓ５００、三本胴用袋状部形成工程Ｓ６００、前後布連結工程Ｓ７００、四本胴用袋状部形成工程Ｓ８００、親指用袋状部形成工程Ｓ９００、前後布連結工程Ｓ１０００、五本胴用袋状部形成工程Ｓ１１００の各工程が順次行われるものであり、以下、各工程について詳細に説明する。
【００５３】＜袋状部形成工程＞  当該手袋製造方法は、図３に示すように上記薬指用編針群（図３の１５〜２９）によって、薬指用袋状部を編成する薬指用袋状部形成工程Ｓ２００（第一袋状部形成工程（図１及び図２のＦ１０〜Ｆ１７及びＢ１０〜Ｂ１７参照））と、薬指用袋状部形成工程Ｓ２００後に中指用袋状部を編成する中指用袋状部形成工程Ｓ３００（第二袋状部形成工程（図１及び図２のＦ１９〜Ｆ２７及びＢ１９〜Ｂ２７参照））と、中指用袋状部形成工程Ｓ３００後に人差し指用袋状部を編成する人差し指用袋状部形成工程Ｓ４００（第三袋状部形成工程（図１及び図２のＦ２８〜Ｆ３６及びＢ２８〜Ｂ３６参照））とを有している。
【００５４】  さらに、当該手袋製造方法の小指用袋状部形成工程Ｓ１００は、図１及び図２に示すように、小指用編針群（図１及び図２の１〜１４）によって、小指用袋状部を編成する工程であり（図１及び図２のＦ１〜Ｆ８及びＢ１〜Ｂ８参照）、上記薬指用袋状部形成工程Ｓ２００の前に行われる。三本胴用袋状部形成工程Ｓ６００は、上記人差し指用袋状部形成工程Ｓ４００後に、上記人差し指用袋状部、中指用袋状部及び薬指用袋状部から手首方向に連設される三本胴用袋状部を編成する工程である（図１及び図２のＦ３８〜Ｆ３９及びＢ３８〜Ｂ３９参照）。四本胴用袋状部形成工程Ｓ８００は、上記小指用袋状部形成工程Ｓ１００及び三本胴用袋状部形成工程Ｓ６００の後に、上記人差し指用編針群と上記中指用編針群と上記薬指用編針群とを有する三本胴用編針群及び小指用編針群（図１及び図２の１〜６２）によって、上記三本胴用袋状部及び小指用袋状部から手首方向に連設される四本胴用袋状部を編成する工程である（図１及び図２のＦ４１及びＢ４１参照）。親指用袋状部形成工程Ｓ９００は、上記四本胴用袋状部形成工程Ｓ８００後に、親指用袋状部を編成する工程である（図１及び図２のＦ４３〜Ｆ５１及びＢ４３〜Ｂ５１参照）。五本胴用袋状部形成工程Ｓ１１００は、上記親指用袋状部形成工程Ｓ９００の後に、上記親指用編針群と上記人差し指用編針群と上記中指用編針群と上記薬指用編針群と上記小指用編針群とを有する四本胴用編針群と（図１及び図２の１〜８０）によって、上記四本胴用袋状部及び親指用袋状部から手首方向に連設される袋状の五本胴用袋状部を編成する工程である（図１及び図２のＦ５３及びＢ５３参照）。
【００５５】＜本体部編成工程＞  また、上記中指用袋状部形成工程Ｓ３００は、図３に示すように、中指用袋状部の本体部を編成する本体部編成工程Ｓ３１０（図３のＦ１９〜Ｆ２６及びＢ１９〜Ｂ２６参照）を有している。この本体部編成工程Ｓ３１０においては、中指用編針群（図３の３０〜４５）が用いられる。なお、この中指用袋状部の本体部の編成は、従来の手袋製造方法の本体部の編成と同様に行われ、袋状部が指先から順次拡径するよう、使用する編針数を指先から順次コースごとに増加させ（図３のＦ１９〜Ｆ２５及びＢ１９〜Ｂ２５参照）、その後所定個数（１６針）の編針によって複数コース編成することによって袋状部を編成している（図３のＦ２６及びＢ２６参照）。なお、小指用袋状部形成工程Ｓ１００、薬指用袋状部形成工程Ｓ２００、人差し指用袋状部形成工程Ｓ４００及び親指用袋状部形成工程Ｓ９００の各本体部編成工程Ｓ１１０，Ｓ２１０，Ｓ４１０，Ｓ９１０も同様に行われている（図１及び図２参照）。
【００５６】＜袋基底部編成工程＞  また、上記中指用袋状部形成工程Ｓ３００は、上記本体部編成工程Ｓ３１０後、中指用袋状部の本体部から手首方向に連設されるとともに薬指用袋状部及び中指用袋状部を連結する環状の袋基底部を編成する袋基底部編成工程Ｓ３２０を有している（図３のＦ２７及びＢ２７参照）。この袋基底部編成工程Ｓ３２０においては、中指用編針群（図３の３０〜４５）及び薬指用編針群のうち中指用編針群に隣接する前後二対の編針（図３の２８及び２９（以下、袋状部連結用編針ということがある））が用いられる。具体的には、上記袋基底部編成工程Ｓ３２０において、中指用編針群の前列の編針（図３下側の３０〜４５）及び前列の薬指用編針群のうち中指用編針群に隣接する前列の二つの袋状部連結用編針（図３下側の２８及び２９）によって、袋基底部の前布を編成して、次いでこの前列の袋状部連結用編針（図３下側の２８及び２９）に対向する二つの薬指用編針群の袋状部連結用編針（図３上側の２８及び２９）及び中指用編針群の後列の編針（図３上側の３０〜４５）によって袋基底部の後布を編成している。なお、後布を先に編成し、前布を後に編成することも可能である。
【００５７】  なお、上記中指用袋状部形成工程Ｓ３００の袋基底部編成工程Ｓ３２０に用いられる上記袋状部連結用編針（フック数）は、２対以上１０対以下（前後合計で４フック以上２１フック以下）が好ましく、２対以上６対以下（前後合計で４フック以上１３フック以下）であることがより好ましく、２対以上４対以下（前後合計で４フック以上９フック以下）であることが特に好ましい。袋状部連結用編針が上記範囲未満であると、中指用袋状部と薬指用袋状部との連結が弱く、指股部に孔が発生しやすくなるおそれがあり、袋状部連結用編針が上記範囲より多いと、薬指用袋状部の一部の内径が小さくなり過ぎるおそれがある。
【００５８】  上記袋基底部編成工程Ｓ３２０は、本実施形態では１コース行われるが、複数コース行うことも可能である。なお、この袋基底部編成工程Ｓ３２０のコース数は、３コース以下であることが好ましく、２コース以下がより好ましい。上記コース数が上記上限より大きいと、薬指用袋状部と中指用袋状部とのコース数の相違による傾斜部分が大きくなり過ぎ、着用者に違和感を与えたり、またコーティングの際にコーティング不良を招くおそれがある。
【００５９】  また、この袋基底部編成工程Ｓ３２０のコース数をＴ１とし、ゲージ数をＧとした場合には、このコース数Ｔ１は以下の関係式を満たすことが好ましい。ａ×Ｔ１／Ｇ  ＜  １なお、上記定数ａは、６以上１０以下であることが好ましく、７以上９以下であることがより好ましい。定数ａが上記範囲未満であると、コース数が多くなり過ぎ、指股部において着用者に違和感を与えたり、コーティング不良を招くおそれがあり、また、定数ａが上記範囲を超えると、コース数が少な過ぎ、中指用袋状部と薬指用袋状部との連結が弱く、指股部に孔が発生しやすくなるおそれがある。
【００６０】＜その他の袋状部形成工程の本体部編成工程及び袋基底部編成工程＞  また、上記人差し指用袋状部形成工程Ｓ４００は、中指用袋状部形成工程Ｓ３００と同様に、人差し指用袋状部の本体部を編成する本体部編成工程Ｓ４１０（図１及び図２のＦ２８〜Ｆ３５及びＢ２８〜Ｂ３５参照）と、人差し指用袋状部の本体部から手首方向に連設されるとともに中指用袋状部及び人差し指用袋状部を連結する環状の袋基底部を編成する袋基底部編成工程Ｓ４２０（図１及び図２のＦ３６及びＢ３６参照）とを有している。この人差し指用袋状部形成工程Ｓ４００の本体部編成工程Ｓ４１０においては、人差し指用編針群（図１及び図２の４６〜６２）が用いられる。また、人差し指用袋状部形成工程Ｓ４００の袋基底部編成工程Ｓ４２０においては、人差し指用編針群の前列の編針（図２の４６〜６２）及び前列の中指用編針群のうち人差し指用編針群に隣接する前列の二つの袋状部連結用編針（図２の４４及び４５）によって、袋基底部の前布を編成して、次いでこの前列の袋状部連結用編針に対向する二つの中指用編針群の袋状部連結用編針及（図１の４４及び４５）び人差し指用編針群の後列の編針（図１の４６〜６２）によって袋基底部の後布を編成している。
【００６１】  なお、人差し指用袋状部形成工程Ｓ４００において、前後布の編成順序、袋状部連結用編針の針数、及び袋基底部編成工程Ｓ４２０のコース数は、既述の中指用袋状部形成工程Ｓ３００の場合と同様に種々変更可能である。
【００６２】  なお、本実施形態において、上述の中指用袋状部形成工程Ｓ３００及び人差し指用袋状部形成工程Ｓ４００のほか、三本胴用袋状部形成工程Ｓ６００及び親指用袋状部形成工程Ｓ９００も、上述のような本体部編成工程Ｓ６１０，Ｓ９１０と袋基底部編成工程Ｓ６２０，Ｓ９２０とを有する。
【００６３】  より具体的に説明すると、三本胴用袋状部形成工程Ｓ６００は、上記人差し指用編針群（図１及び図２の４６〜６２）、中指用編針群（図１及び図２の３０〜４５）及び薬指用編針群（図１及び図２の１５〜２９）によって、三本胴用袋状部の本体部を編成する本体部編成工程Ｓ６１０（図１及び図２のＦ３８及びＢ３８参照）と、上記人差し指用編針群（図１及び図２の４６〜６２）、中指用編針群（図１及び図２の３０〜４５）、薬指用編針群（図１及び図２の１５〜２９）、及び小指用編針群のうち薬指用編針群に隣接する前後二対の編針（図１及び図２の１３及び１４（袋状部連結用編針））によって、上記三本胴用袋状部の本体部から手首方向に連設されるとともに三本胴用袋状部及び小指用編針群を連結する環状の袋基底部を編成する袋基底部編成工程Ｓ６２０（図１及び図２のＦ３９及びＢ３９参照）とを有する。この袋基底部編成工程Ｓ６２０において、前後二列の人差し指用編針群（図１及び図２の４６〜６２）、中指用編針群（図１及び図２の３０〜４５）及び薬指用編針群（図１及び図２の１５〜２９）のうち一方の列の編針、並びにこの一方の列の小指用編針群のうち薬指用編針群に隣接する二つの袋状部連結用編針（図１及び図２の１３及び１４）によって、袋基底部の一方の面を編成して、次いでこの袋状部連結用編針に対向する二つの袋状部連結用編針（図１及び図２の１３及び１４）、並びに人差し指用編針群（図１及び図２の４６〜６２）、中指用編針群（図１及び図２の３０〜４５）及び薬指用編針群（図１及び図２の１５〜２９）によって、袋基底部の他方の面を編成する。
【００６４】  また、親指用袋状部形成工程Ｓ９００は、親指用編針群（図１の６３〜８０）によって、親指用袋状部の本体部を編成する本体部編成工程Ｓ９１０（図１及び図２のＦ４３〜Ｆ５０及びＢ４３〜Ｂ５０参照）と、上記親指用編針群、及び人差し指用編針群のうち親指用編針群に隣接する前後二対の編針（図１及び図２の６１及び６２（袋状部連結用編針））によって、上記親指用袋状部の本体部から手首方向に連設されるとともに四本胴用袋状部及び親指用袋状部を連結する環状の袋基底部を編成する袋基底部編成工程Ｓ９２０（図１及び図２のＦ５１及びＢ５１参照）とを有する。この袋基底部編成工程Ｓ９２０において、前後二列の親指用編針群のうち一方の列の編針（図１又は図２の６３〜８０）及びこの一方の列の人差し指用編針群のうち親指用編針群に隣接する二つの袋状部連結用編針（図１又は図２の６１及び６２）によって、袋基底部の一方の面を編成して、次いでこの二つの袋状部連結用編針に対向する二つの袋状部連結用編針（図１又は図２の６１及び６２）及び親指用編針群の他方の列の編針（図１又は図２の６３〜８０）によって、袋基底部の他方の面を編成する。
【００６５】  なお、三本胴用袋状部形成工程Ｓ６００及び親指用袋状部形成工程Ｓ９００において、前後布の編成順序、袋状部連結用編針の針数、及び各袋基底部編成工程のコース数は、既述の中指用袋状部形成工程Ｓ３００の場合と同様に種々変更可能である。
【００６６】＜前後布連結工程＞  また、当該手袋製造方法は、指股部において前布と後布とを連結する前後布連結工程Ｓ５００を有している。この前後布連結工程Ｓ５００は、中指用袋状部と薬指用袋状部との指股部において前布と後布とを連結する第一前後布連結部を編成する工程である（図３のＦ３７及びＢ３７参照）。また、この前後布連結工程Ｓ５００は、上記第一前後布連結部とともに人差し指用袋状部と中指用袋状部との指股部において前布と後布とを連結する第二前後布連結部を同一コースで編成している。
【００６７】  この第一連結部及び第二連結部を編成する前後布連結工程Ｓ５００は、中指用袋状部形成工程Ｓ３００の本体部編成工程Ｓ３１０及び袋基底部編成工程Ｓ３２０、並びに人差し指用袋状部形成工程Ｓ４００の本体部編成工程Ｓ４１０及び袋基底部編成工程Ｓ４２０の何れの工程よりも後に行われる。具体的には、この前後布連結工程Ｓ５００は、上記人差し指用袋状部形成工程Ｓ４００の袋基底部編成工程Ｓ４２０に続いて行われる。
【００６８】  ここで、この第一前後布連結部（及び第二前後布連結部）を連結する前後布連結工程Ｓ５００は、本実施形態では半コース行われるが、前後布連結部の強度が足りない場合には１コース以上行うことも可能である。
【００６９】  上記前後布連結工程Ｓ５００において、第一前後布連結部の編成を行う編針として、薬指用編針群のうち中指用編針群に隣接する前後二対の編針（図３の２８及び２９）が用いられる。つまり、この第一前後布連結部の編成を行う編針として、中指用袋状部形成工程Ｓ３００の袋基底部編成工程Ｓ３２０で用いられた袋状部連結用編針（図３の２８及び２９）が用いられる。
【００７０】  また、この第一前後布連結部の編成を行う編針として、上記袋状部連結用編針（図３の２８及び２９）とともにこの袋状部連結用編針（図３の２８及び２９）に少なくとも一方側に隣接する少なくとも前後一対の編針（図３の２６及び２７並びに３０及び３１（以下、第一前後連結用編針ということがある））が用いられている。この第一前後連結用編針（図３の２６及び２７並びに３０及び３１）は、本実施形態においては、上記袋状部連結用編針の両側にそれぞれ隣接する編針が用いられる。
【００７１】  ここで、上記第一前後連結用編針のうち、薬指用袋状部側に位置する第一前後連結用編針（図３の２６及び２７）は、１対又は複数対用いられている。ここで、この薬指用袋状部側の第一前後連結用編針の編針数（フック数）は、１対以上４対以下（前後合計で２フック以上９フック以下）が好ましく、２対以上３対以下（前後合計で４フック以上７フック以下）であることがより好ましく、２対（前後合計で４フック以上５フック以下）であることが特に好ましい。この薬指用袋状部側の第一前後連結用編針が上記下限値未満であると、前布と後布との連結が弱く、指股部に孔が発生しやすくなるおそれがあり、また薬指用袋状部側の第一前後連結用編針が上記上限値を超えると、薬指用袋状部の一部が内径が小さくなり過ぎるおそれがある。
【００７２】  また、上記第一前後連結用編針のうち、中指用袋状部側に位置する第一前後連結用編針（図３の３０及び３１）は、１対又は複数対用いられている。ここで、この袋状部連結用編針の中指用袋状部側の第一前後連結用編針の編針数（フック数）は、１対以上４対以下（前後合計で２フック以上９フック以下）が好ましく、２対以上３対以下（前後合計で４フック以上７フック以下）であることがより好ましく、２対（前後合計で４フック以上５フック以下）であることが特に好ましい。この中指用袋状部側の第一前後連結用編針が上記下限値未満であると、前布と後布との連結が弱く、指股部に孔が発生しやすくなるおそれがあり、また中指用袋状部側の第一前後連結用編針が上記上限値を超えると、中指用袋状部の一部が内径が小さくなり過ぎるおそれがある。
【００７３】  なお、第一前後連結用編針（図３の２６及び２７並びに３０及び３１）の編針数（フック数（薬指用袋状部側及び中指用袋状部側の双方の合計））は、第一前後布連結部を編成する袋状部連結用編針（図３の２８及び２９）の編針数（フック数）の１倍以上３倍以下であることが好ましく、１．５倍以上２．５倍以下であることがより好ましい。この第一前後連結用編針が上記下限値未満であると、前布と後布との連結が弱く、指股部に孔が発生しやすくなるおそれがあり、また第一前後連結用編針が上記上限値を超えると、指股部の柔軟性に欠け、着用者に違和感を与えたり、コーティング不良を招くおそれがある。
【００７４】  上記前後布連結工程Ｓ５００において、第二前後布連結部の編成を行う編針として、中指用編針群のうち人差し指用編針群に隣接する前後二対の編針（図３の４４及び４５）が用いられる。つまり、この第二前後布連結部の編成を行う編針として、人差し指用袋状部形成工程Ｓ４００の袋基底部編成工程Ｓ４２０で用いられた袋状部連結用編針（図３の４４及び４５）が用いられる。
【００７５】  また、この第二前後布連結部の編成を行う編針として、上記袋状部連結用編針（図３の４４及び４５）とともにこの袋状部連結用編針（図３の４４及び４５）に少なくとも一方側に隣接する少なくとも前後一対の編針（図３の４２、４３、４６及び４７（以下、第二前後連結用編針ということがある））が用いられている。この第二前後連結用編針（図３の４２、４３、４６及び４７）は、本実施形態においては、上記袋状部連結用編針（図３の４４及び４５）の両側にそれぞれ隣接する編針が用いられる。
【００７６】  ここで、上記第二前後連結用編針のうち、中指用袋状部側に位置する第二前後連結用編針（図３の４２及び４３）は、１対又は複数対用いられている。ここで、この中指用袋状部側の第二前後連結用編針の数（フック数）は、１対以上４対以下（前後合計で２フック以上９フック以下）が好ましく、２対以上３対以下（前後合計で４フック以上７フック以下）であることがより好ましく、２対（前後合計で４フック以上５フック以下）であることが特に好ましい。この中指用袋状部側の第二前後連結用編針が上記下限値未満であると、前布と後布との連結が弱く、指股部に孔が発生しやすくなるおそれがあり、また中指用袋状部側の第二前後連結用編針が上記上限値を超えると、中指用袋状部の一部が、内径が小さくなり過ぎるおそれがある。
【００７７】  また、上記第二前後連結用編針のうち、人差し指用袋状部側に位置する第二前後連結用編針（図３の４６及び４７）は、１対又は複数対用いられている。ここで、この人差し指用袋状部側の第二前後連結用編針の編針数（フック数）は、１対以上４対以下（前後合計で２フック以上９フック以下）が好ましく、２対以上３対以下（前後合計で４フック以上７フック以下）であることがより好ましく、２対（前後合計で４フック以上５フック以下）であることが特に好ましい。この人差し指用袋状部側の第二前後連結用編針が上記下限値未満であると、前布と後布との連結が弱く、指股部に孔が発生しやすくなるおそれがあり、また人差し指用袋状部側の第一前後連結用編針が上記上限値を超えると、人差し指用袋状部の一部が内径が小さくなり過ぎるおそれがある。
【００７８】  なお、第二前後連結用編針（図３の４２、４３、４６及び４７）の編針数（フック数（中指用袋状部側及び人差し指用袋状部側の双方の合計））は、第二前後布連結部を編成する袋状部連結用編針（図３の４４及び４５）の編針数（フック数）の１倍以上３倍以下であることが好ましく、１．５倍以上２．５倍以下であることがより好ましい。この第二前後連結用編針が上記下限値未満であると、前布と後布との連結が弱く、指股部に孔が発生しやすくなるおそれがあり、また第二前後連結用編針が上記上限値を超えると、指股部の柔軟性に欠け、着用者に違和感を与えたり、コーティング不良を招くおそれがある。
【００７９】  上記第一前後布連結部及び第二前後布連結部を編成する前後布連結工程Ｓ５００においては、上述の各編針のほか、前後一方側（後側）のその他の編針（図１の１５〜２５、３２〜４１、４８〜６２）も用いられる（図１のＢ３７参照）。つまり、この工程においては、後布が編成されるとともに、中指用袋状部と薬指用袋状部との間の指股部及び人差し指用袋状部と中指用袋状部との間の指股部において前布と後布とが上記第一前後布連結部及び第二前後布連結部によって連結されるよう編成することになる。
【００８０】  なお、本実施形態においては、当該手袋製造方法は、小指用袋状部と薬指用袋状部（三本胴用袋状部）との間の指股部において前布と後布とを連結する第三前後布連結部を編成する前後布連結工程Ｓ７００（図１及び図２のＦ４０及びＢ４０参照）を有し、さらに人差し指用袋状部（四本胴用袋状部）と親指用袋状部との間の指股部において前布と後布とを連結する第四前後布連結部を編成する前後布連結工程Ｓ１０００（図１及び図２のＦ５２及びＢ５２参照）を有している。
【００８１】  この第三前後布連結部を編成する前後布連結工程Ｓ７００と第四前後布連結部を編成する前後布連結工程Ｓ１０００とは異なるコースによって行われる。
【００８２】  第三前後布連結部を編成する前後布連結工程Ｓ７００は、三本胴用袋状部と小指用袋状部との間の指股部において前布と後布とを連結する工程であり、三本胴用袋状部形成工程Ｓ６００の袋基底部編成工程Ｓ６２０よりも後に行われる。また、第四前後布連結部の前後布連結工程Ｓ１０００は、親指用袋状部と四本胴用袋状部との間の指股部において前布と後布とを連結する工程であり、親指用袋状部形成工程Ｓ９００の袋基底部編成工程Ｓ９２０よりも後に行われる。
【００８３】  なお、第三前後布連結部を編成する前後布連結工程Ｓ７００、及び第四前後布連結部を編成する前後布連結工程Ｓ１０００は、本実施形態では半コース行われるが、前後布連結部の強度が足りない場合には１コース以上行うことも可能である。
【００８４】［手袋］  上述した手袋製造方法によれば、前布及び後布によって、胴用の袋状部と、胴用の袋状部から突設される各指に対応する複数の指用の袋状部とが構成される手袋が編成される。具体的には、当該手袋は、五本胴用袋状部から親指用袋状部及び四本胴用袋状部が突設され、四本胴用袋状部から小指用袋状部及び三本胴用袋状部が突設され、三本胴用袋状部から人差し指用袋状部、中指用袋状部及び薬指用袋状部が突設されている。
【００８５】  また、当該手袋は、中指用袋状部が、本体部と、本体部から手首方向に連設される環状の袋基底部とを有する。この袋基底部は、本体部の前布から手首方向に連設される前面部位、この前面部位と同一コースで連続し、薬指用袋状部の二目の前布から手首方向に連設される袋状部連結前側部位、この袋状部連結前側部位と同一コースで連続し、薬指用袋状部の二目の後布から手首方向に連設される袋状部連結後側部位、及びこの袋状部連結後側部位と同一コースで連続し、上記本体部の後布から手首方向に連設される後面部位を有する。
【００８６】  さらに、当該手袋は、人差し指用袋状部が、本体部と、本体部から手首方向に連設される環状の袋基底部とを有する。この袋基底部は、本体部の前布から手首方向に連設される前面部位、この前面部位と同一コースで連続し、中指用袋状部（の袋基底部の前面部位）の二目の前布から手首方向に連設される袋状部連結前側部位、この袋状部連結前側部位と同一コースで連続し、中指用袋状部（の袋基底部の後面部位）の二目の後布から手首方向に連設される袋状部連結後側部位、及びこの袋状部連結後側部位と同一コースで連続し、上記本体部の後布から手首方向に連設される後面部位を有する。
【００８７】  また、当該手袋は、三本胴用袋状部が、本体部と、本体部から手首方向に連設される環状の袋基底部とを有する。この三本胴用袋状部の袋基底部は、本体部の前布から手首方向に連設される前面部位、この前面部位と同一コースで連続し、小指用袋状部の二目の前布から手首方向に連設される袋状部連結前側部位、この袋状部連結前側部位と同一コースで連続し、小指用袋状部の二目の後布から手首方向に連設される袋状部連結後側部位、及びこの袋状部連結後側部位と同一コースで連続し、上記本体部の後布から手首方向に連設される後面部位を有する。
【００８８】  さらに、当該手袋は、親指用袋状部が、本体部と、本体部から手首方向に連設される環状の袋基底部とを有する。この親指用袋状部の袋基底部は、本体部の前布から手首方向に連設される前面部位、この前面部位と同一コースで連続し、四本胴用袋状部の二目の前布から手首方向に連設される袋状部連結前側部位、この袋状部連結前側部位と同一コースで連続し、四本胴用袋状部の二目の後布から手首方向に連設される袋状部連結後側部位、及びこの袋状部連結後側部位と同一コースで連続し、上記本体部の後布から手首方向に連設される後面部位を有する。上記袋状部連結前側部位及び袋状部連結後側部位は、既述の各袋状部連結用編針によって編まれている。
【００８９】  なお、上記各袋基底部の袋状部連結前側部位及び袋状部連結後側部位の目数は、上記二目に限定されるものではなく、当該手袋製造方法において編針数に関して既に説明したような目数とすることが可能である。また、上記各袋基底部のコース数についても、当該手袋製造方法においてコース数に関して説明したようなコース数とすることが可能である。
【００９０】  また、当該手袋は、袋状部間の指股部に、前布と後布とを連結する前後布連結部を有している。具体的には、当該手袋は、中指用袋状部と薬指用袋状部との間の指股部に設けられた第一前後布連結部、人差し指用袋状部と中指用袋状部との間の指股部に設けられた第二前後布連結部、薬指用袋状部（三本胴用袋状部）と小指用袋状部との間の指股部に設けられた第三前後布連結部、及び親指用袋状部と人差し指用袋状部（四本胴用袋状部）との間の指股部に設けられた第四前後布連結部を有している。ここで、第一前後布連結部と第二前後布連結部とは同一コースで編成されている。
【００９１】  各前後布連結部は、各指股部における袋状部連結前側部位及び袋状部連結後側部位のウェール方向で、かつ手首側に設けられている。各前後布連結部は、既述の各袋状部連結用編針と各前後連結用編針とによって編成されている。このため、前後布連結部は、袋状部連結前側部位及び袋状部連結後側部位よりも幅広に設けられている。つまり、前後布連結部は、袋状部連結用編針によって編成される中央部と、この中央部に隣接し前後連結用編針によって編成される側部とを有している。ここで、この側部の網目数は当該手袋製造方法の前後連結用編針の数（フック数）で説明したような網目数とすることが可能である。また、この前後布連結部のコース数も当該手袋製造方法の前後布連結工程Ｓ５００，Ｓ７００，Ｓ１０００で説明したようなコース数とすることが可能である。
【００９２】［コーティグ手袋製造方法］  次に、上記構成からなる当該手袋を用いてコーティング手袋を製造するコーティング手袋の製造方法について説明する。
【００９３】  当該コーティング手袋製造方法は、当該手袋の少なくとも掌領域にコーティング層を形成するコーティング層形成工程を有する。このコーティング層形成工程は、従来公知の方法を採用でき、具体的には、当該手袋を立体型に被せて、手袋の掌領域をコート層形成材料に浸漬し、浸漬したコート層形成材料を乾燥させることによってコーティング層が形成される。
【００９４】［コーティング手袋］  上記コーティング手袋製造方法によって製造されたコーティング手袋は、上記構成からなる当該手袋と、当該手袋の少なくとも掌領域に形成されたコーティング層とを備えている。
【００９５】［利点］  本発明は、上記構成からなるので、以下のような利点を有する。
【００９６】  つまり、当該手袋は、例えば中指用袋状部の本体部から環状の袋基底部が手首方向に連設され、この環状の袋基底部によって薬指用袋状部と中指用袋状部とが連結されている。そして、この袋基底部は、薬指用袋状部の編み目のうち中指用袋状部側に隣接する前後二目の編み目（合計四目の編み目）に編み込まれている。このように、前布（前面部位及び袋状部連結前側部位）と後布（後面部位及び袋状部連結後側部位）との前後双方で薬指用袋状部と中指用袋状部とが確実に連結され、指股部の孔の発生を的確に防止することができる。
【００９７】  さらに、袋状部連結前側部位及び袋状部連結後側部位は、それぞれ薬指用袋状部の二目の編み目に編み込まれるので、薬指用袋状部と中指用袋状部とをより確実に連結することができ、指股部の孔の発生をより的確に防止することができる。
【００９８】  また、その他の各指股部においても同様の連結がなされているので、各指股部の孔の発生が効果的に防止できる。
【００９９】  しかも、当該手袋製造方法は、従来の抑止杆を用いた製造方法に比べて容易、かつ確実に手袋を製造することができる。さらに、当該手袋製造方法は、従来の最後三回の周回コースを異なるパターンで編成する方法に比べて、編針の制御を容易に行うことができ、ドラムピンによって編針を制御する横編み機を用いて容易、かつ確実に手袋を製造することができる。特に、当該製造方法によって製造された手袋は、従来の最後三回の周回コースを異なるパターンで製造された手袋に比べて、指股部の構造が単純であるため着用者に違和感を与えにくく、また指股部に作用する力が均一に分散しやすく、指股部に孔が生じ難い。
【０１００】  また、当該手袋は、中指用袋状部と薬指用袋状部との間の指股部に前布と後布とを連結する第一前後布連結部を有するので、この指股部に孔が発生し難くなる。特に、第一前後布連結部は、中指用袋状部の袋基底部を編成する袋状部連結用編針と同一の編針が用いられ編成され、第一前後布連結部が袋状部連結前側部位及び袋状部連結後側部位のウェール方向に位置することになり、この第一前後布連結部によって袋状部連結前側部位及び袋状部連結後側部位に前後方向に開く力が作用し難くなり、前後布連結部によって効果的に袋基底部の孔の発生を防止することができる。
【０１０１】  さらに、この第一前後布連結部は、中指用袋状部の袋基底部の袋状部連結前側部位等よりも手首側に位置するので、指股部を開く方向に作用する力が前後布連結部に作用し易く、袋状部連結前側部位及び袋状部連結後側部位を前後方向に開く力が作用し難いので、指股部の孔の発生をより的確に防止することができる。
【０１０２】  また、この第一前後布連結部は、人差し指用袋状部と中指用袋状部との間の指股部の第二前後布連結部と同一コースで編成されているため、同一コースで複数の前後布連結部を形成することができ、編針の制御を容易に行うことができ、一般的に用いられる横編み機を用いて容易、かつ確実に製造することができる。また、同一コースで複数の前後布連結部を形成することができるので、製造時間の短縮化が図られる。なお、本発明において、第一前後布連結部を上記袋状部連結前側部位等よりも指先側に設けることも可能であるが、この場合、指股部において第一前後布連結部が外面側に表出してしまい、また、他の指股部の前後布連結部と同一コースで編成することが困難となり、編針の制御が複雑となってしまう問題を有する。
【０１０３】  なお、当該手袋は、各指股部において上記第一前後布連結部と同様の構成を有する第二前後布連結部、第三前後布連結部及び第四前後布連結部を有するので、上記第一前後布連結部と同様の効果を奏する。
【０１０４】  また、当該手袋は上述のように指股部に孔が発生し難いので、当該手袋を手型に嵌めてコーティング層を形成する際に、指股部におけるコーティグ不良が発生し難い。
【０１０５】［その他の実施形態］  なお、本発明は、上記態様の他、種々の変更、改良を施した態様で実施することができる。
【０１０６】  つまり、上記実施形態においては、三本胴用袋状部を形成する例をとり説明したが、本発明はこれに限定されない。例えば、小指用袋状部、薬指用袋状部、中指用袋状部、人差し指用袋状部、四本胴用袋状部、親指用袋状部、五本胴用袋状部が順次編成されるものも採用可能である。この手袋製造方法は、上記実施形態と略同様の製造方法であるが、薬指用袋状部形成工程Ｓ２００が、薬指用編針群によって、薬指用袋状部の本体部を編成する本体部編成工程Ｓ２１０と、薬指用編針群及び小指用編針群のうち薬指用編針群に隣接する前後の編針によって、薬指用袋状部の本体部から手首方向に連設されるとともに薬指用袋状部及び小指用袋状部を連結する環状の袋基底部を編成する袋基底部編成工程Ｓ２２０とを有している。なお、この袋基底部編成工程Ｓ２２０は、既述のその他の指股部の編成手法と同様の手法を採用可能である。また、人差し指用袋状部形成工程Ｓ４００の後に、三本胴用袋状部を編成せずに、四本胴用袋状部形成工程Ｓ８００がなされる。さらに、この場合、前後布連結工程Ｓ５００，Ｓ７００，Ｓ１０００として、既述の第一前後布連結部及び第二前後布連結部と同一コースで、薬指用袋状部と小指用袋状部との間の指股部の第三前後布連結部を編成することも可能である。
【０１０７】  また、上記実施形態の手袋製造方法にあっては、従来公知の横編み機を用いたものについて説明したが、本発明はこれに限定されるものではない。つまり、上記実施形態においては一つのフックを有する編針が各針溝に配置されたもの、すなわち一つのフックに一つの編針が対応するものを例にとり説明したが、本発明はこれに限定されない。具体的には、各針溝に、単または複数のフックを有する編針を、単独又は複数重ねられた状態で配置し、これにより、一つの針溝に対して一体的に動作する少なくとも二つ以上のフックを備える編針案内構造を有する横編み機（特開２０１２−１２７５７号参照）を用いて当該手袋製造方法を実施することも可能であり、この場合には、一つの編針が二つ以上のフックに対応することになる。つまり、一つの針溝に対して二つのフックが一体的に動作する横編み機を用いて、本願発明の手袋製造方法を実施することも可能である。なお、この場合には、選針ドラム（回転体）の一つのピンと、手袋の二目とが対応関係にあることになる。また、二つのフックを有する編針を用いた場合には、袋基底部編成工程において、第二編針群及び第一編針群のうち第二編針群に隣接する少なくとも前後一対の編針によって袋基底部を編成することができる。これによって、袋基底部が、本体部の前布から手首方向に連設される前面部位、この前面部位と同一コースで連続し、上記袋状部の一方側に隣接する他の袋状部の袋基底部の他方側の少なくとも二目の前布から手首方向に連設される袋状部連結前側部位、この袋状部連結前側部位と同一コースで連続し、上記袋状部の一方側に隣接する他の袋状部の袋基底部の他方側の少なくとも二目の後布から手首方向に連設される袋状部連結後側部位、及びこの袋状部連結後側部位と同一コースで連続し、上記本体部の後布から手首方向に連設される後面部位を有する手袋を製造することができる。
【０１０８】  さらに、上記実施形態においては、指股部すべてに上記構造の袋状部同士の連結構造を形成したものについて説明したが、本願発明はこれに限定されず、少なくとも一つの指股部に上記袋状部同士の連結構造を形成するものであれば本願発明の意図する範囲内である。但し、薬指用袋状部と中指用袋状部との間の指股部、及び中指用袋状部と人差し指用袋状部との間の指股部に、上記袋状部同士の連結構造を形成することが好ましく、これによりコーティング不良が生じやすい部位を的確にコーティングすることができる。
【０１０９】  また、上記実施形態においては、前後布連結部を形成したものについて説明したが、本願発明はこれに限定されるものではない。また、前後布連結部を形成する場合も、上記実施形態のように指股部すべてに形成する必要はなく、一つの指股部に前後布連結部を形成することも可能である。但し、薬指用袋状部と中指用袋状部との間の指股部、及び中指用袋状部と人差し指用袋状部との間の指股部に、上記前後布連結部を形成することが好ましく、これによりコーティング不良が生じやすい部位を的確にコーティングすることができる。
【産業上の利用可能性】
【０１１０】  以上のように、本発明の手袋製造方法は、指股部に孔が発生し難い手袋を容易に製造することができるため、例えば手袋にコーティング層を形成するコーティング手袋等に好適に用いることができる。
【符号の説明】
【０１１１】Ｓ１００  小指用袋状部形成工程Ｓ１１０  本体部編成工程Ｓ２００  薬指用袋状部形成工程Ｓ２１０  本体部編成工程Ｓ３００  中指用袋状部形成工程Ｓ３１０  本体部編成工程Ｓ３２０  袋基底部編成工程Ｓ４００  人差し指用袋状部形成工程Ｓ４１０  本体部編成工程Ｓ４２０  袋基底部編成工程Ｓ５００  前後布連結工程Ｓ６００  三本胴用袋状部形成工程Ｓ６１０  本体部編成工程Ｓ６２０  袋基底部編成工程Ｓ７００  前後布連結工程Ｓ８００  四本胴用袋状部形成工程Ｓ９００  親指用袋状部形成工程Ｓ９１０  本体部編成工程Ｓ９２０  袋基底部編成工程Ｓ１０００  前後布連結工程Ｓ１１００  五本胴用袋状部形成工程
【図１】
2013129336.tif 000003
【図２】
2013129336.tif 000004
【図３】
2013129336.tif 000005
【図４】
2013129336.tif 000006
【図５】
2013129336.tif 000007
【図６】
2013129336.tif 000008
【図７】
2013129336.tif 000009
【図８】
2013129336.tif 000010
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
手指を覆う複数の袋状部を構成する前布及び後布を備え、第一袋状部に隣接する第二袋状部が第一袋状部に連結する環状の袋基底部とその先端側に連結する筒状の本体部とを有する手袋を、フックを有する多数の編針がフック側の対向状態で二列に配設された横編機を用いて編成する手袋製造方法であって、
上記多数の編針が、第一袋状部を編成する第一編針群と、第二袋状部を編成する第二編針群とに区分けされ、
第一袋状部を編成する第一袋状部形成工程と、第一袋状部形成工程後に第二袋状部を編成する第二袋状部形成工程とを有し、
上記第二袋状部形成工程が、上記本体部を編成する本体部編成工程と、上記袋基底部を編成する袋基底部編成工程とを有し、
上記袋基底部編成工程において、
第二編針群のうち前布及び後布の一方を編成する一方の列の編針及びこの一方の列の第一編針群のうち第二編針群に隣接する少なくとも二つのフックに対応する編針により上記環状の袋基底部の一方の面を編成し、
次いで第一編針群のうち上記袋基底部の一方の面を編成した第一編針群の編針に対向する他方の列の編針及び第二編針群の他方の列の編針により上記環状の袋基底部の他方の面を編成し、
少なくとも上記第二袋状部形成工程の本体部編成工程の後に、第一編針群のうち第二編針群に隣接する少なくとも前後一対の編針、及び／又は第二編針群のうち第一編針群に隣接する少なくとも前後一対の編針により第一袋状部及び／又は第二袋状部の前布と後布とを連結する第一前後布連結部を編成する前後布連結工程をさらに有し、
上記前後布連結工程で前後布連結部の編成を行う編針として、上記第二袋状部形成工程の袋基底部編成工程で袋基底部の編成を行う第一編針群の編針と、この編針に隣接する編針とを用いる
ことを特徴とする。
【請求項２】
（削除）
【請求項３】
（削除）
【請求項４】
上記前後布連結工程が、上記第二袋状部形成工程の袋基底部編成工程の後に行われる請求項１に記載の手袋製造方法。
【請求項５】
上記第一編針群の反対側で第二編針群に隣接するとともに第三袋状部を編成する複数の編針である第三編針群が区分されており、
第三編針群により第三袋状部を編成する第三袋状部形成工程を有し、
上記第三袋状部形成工程が、
第三編針群により第三袋状部の本体部を編成する本体部編成工程と、
上記第三袋状部の本体部から手首方向に連設されるとともに第二袋状部及び第三袋状部を連結する環状の袋基底部を編成する袋基底部編成工程と
を有し、
上記前後布連結工程が、上記第一前後布連結部とともに、第二袋状部及び／又は第三袋状部の前布と後布とを連結する第二前後布連結部を同一コースで編成する請求項４に記載の手袋製造方法。
【請求項６】
手指を覆う複数の袋状部を構成する前布及び後布を備え、薬指用袋状部に隣接する中指用袋状部が薬指用袋状部に連結する環状の袋基底部とその先端側に連結する筒状の本体部とを有し、中指用袋状部に隣接する人差し指用袋状部が中指用袋状部に連結する環状の袋基底部とその先端側に連結する筒状の本体部とを有し、小指用袋状部に隣接する三本胴用袋状部が小指用袋状部に連結する環状の袋基底部とその先端側に連結する筒状の本体部とを有し、四本胴用袋状部に隣接する親指用袋状部が四本胴用袋状部に連結する環状の袋基底部とその先端側に連結する筒状の本体部とを有する手袋を、フックを有する多数の編針がフック側の対向状態で二列に配設された横編機を用いて編成する手袋製造方法であって、
上記多数の編針が、親指用袋状部を編成する親指用編針群と、人差し指用袋状部を編成する人差し指用編針群と、中指用袋状部を編成する中指用編針群と、薬指用袋状部を編成する薬指用編針群と、小指用袋状部を編成する小指用編針群とに区分され、
小指用袋状部を編成する小指用袋状部形成工程と、
薬指用袋状部を編成する薬指用袋状部形成工程と、
薬指用袋状部形成工程の後に、中指用袋状部を編成する中指用袋状部形成工程と、
中指用袋状部形成工程の後に、人差し指用袋状部を編成する人差し指用袋状部形成工程と、
上記人差し指用袋状部形成工程後に、上記人差し指用袋状部、中指用袋状部及び薬指用袋状部から手首方向に連設される三本胴用袋状部を、上記人差し指用編針群と上記中指用編針群と上記薬指用編針群とを有する三本胴用編針群により編成する三本胴用袋状部形成工程と、
上記小指用袋状部形成工程及び三本胴用袋状部形成工程の後に、上記三本胴用袋状部及び小指用袋状部から手首方向に連設される四本胴用袋状部を、上記人差し指用編針群と上記中指用編針群と上記薬指用編針群と上記小指用編針群とを有する四本胴用編針群により編成する四本胴用袋状部形成工程と、
上記四本胴用袋状部形成工程後に、親指用袋状部を編成する親指用袋状部形成工程と、
上記親指用袋状部形成工程の後に、上記四本胴用袋状部及び親指用袋状部から手首方向に連設される袋状の五本胴用袋状部を、上記親指用編針群と上記四本胴用編針群とにより編成する五本胴用袋状部形成工程と
を有し、
上記中指用袋状部形成工程が、
上記中指用袋状部の本体部を編成する本体部編成工程と、
上記中指用袋状部の袋基底部を編成する袋基底部編成工程と
を有し、
この中指用袋状部形成工程の袋基底部編成工程において、
中指用編針群のうち前布及び後布の一方を編成する一方の列の編針及びこの一方の列の薬指用編針群のうち中指用編針群に隣接する少なくとも二つのフックに対応する編針により上記環状の袋基底部の一方の面を編成し、
次いで薬指用編針群のうち上記袋基底部の一方の面を編成した薬指用編針群の編針に対向する他方の列の編針及び中指用編針群の他方の列の編針により上記環状の袋基底部の他方の面を編成し、
上記人差し指用袋状部形成工程が、
上記人差し指用袋状部の本体部を編成する本体部編成工程と、
上記人差し指用袋状部の袋基底部を編成する袋基底部編成工程と
を有し、
この人差し指用袋状部形成工程の袋基底部編成工程において、
人差し指用編針群のうち前布及び後布の一方を編成する一方の列の編針及びこの一方の列の中指用編針群のうち人差し指用編針群に隣接する少なくとも二つのフックに対応する編針により上記環状の袋基底部の一方の面を編成し、
次いで中指用編針群のうち上記袋基底部の一方の面を編成した中指用編針群の編針に対向する他方の列の編針及び人差し指用編針群の他方の列の編針により袋基底部の他方の面を編成し、
上記三本胴用袋状部形成工程が、
上記三本胴用袋状部の本体部を編成する本体部編成工程と、
上記三本胴用袋状部の袋基底部を編成する袋基底部編成工程と
を有し、
この三本胴用袋状部形成工程の袋基底部編成工程において、
三本胴用編針群のうち前布及び後布の一方を編成する一方の列の編針、並びにこの一方の列の小指用編針群のうち薬指用編針群に隣接する少なくとも二つのフックに対応する編針により上記環状の袋基底部の一方の面を編成し、
次いで小指用編針群のうち上記袋基底部の一方の面を編成した小指用編針群の編針に対向する他方の列の編針及び三本胴用編針群の他方の列の編針により上記環状の袋基底部の他方の面を編成し、
上記親指用袋状部形成工程が、
上記親指用袋状部の本体部を編成する本体部編成工程と、
上記親指用袋状部の袋基底部を編成する袋基底部編成工程と
を有し、
この親指用袋状部形成工程の袋基底部編成工程において、
親指用編針群のうち前布及び後布の一方を編成する一方の列の編針、及びこの編針に隣接する一方の列の人差し指用編針群のうち親指用編針群に隣接する少なくとも二つのフックに対応する編針により上記環状の袋基底部の一方の面を編成し、
次いで人差し指用編針群のうち上記袋基底部の一方の面を編成した人差し指用編針群の編針に対向する他方の列の編針、及び親指用編針群の他方の列の編針により上記環状の袋基底部の他方の面を編成することを特徴とする手袋製造方法。
【請求項７】
手指を覆う複数の袋状部を構成する前布及び後布を備え、小指用袋状部に隣接する薬指用袋状部が小指用袋状部に連結する環状の袋基底部とその先端側に連結する筒状の本体部とを有し、薬指用袋状部に隣接する中指用袋状部が薬指用袋状部に連結する環状の袋基底部とその先端側に連結する筒状の本体部とを有し、中指用袋状部に隣接する人差し指用袋状部が中指用袋状部に連結する環状の袋基底部とその先端側に連結する筒状の本体部とを有し、四本胴用袋状部に隣接する親指用袋状部が四本胴用袋状部に連結する環状の袋基底部とその先端側に連結する筒状の本体部とを有する手袋を、フックを有する多数の編針がフック側の対向状態で二列に配設された横編機を用いて編成する手袋製造方法であって、
上記多数の編針が、親指用袋状部を編成する親指用編針群と、人差し指用袋状部を編成する人差し指用編針群と、中指用袋状部を編成する中指用編針群と、薬指用袋状部を編成する薬指用編針群と、小指用袋状部を編成する小指用編針群とに区分され、
小指用袋状部を編成する小指用袋状部形成工程と、
小指用袋状部形成工程の後に、薬指用袋状部を編成する薬指用袋状部形成工程と、
薬指用袋状部形成工程の後に、中指用袋状部を編成する中指用袋状部形成工程と、
中指用袋状部形成工程の後に、人差し指用袋状部を編成する人差し指用袋状部形成工程と、
上記人差し指用袋状部形成工程後に、上記人差し指用袋状部、中指用袋状部、薬指用袋状部及び小指用袋状部から手首方向に連設される四本胴用袋状部を、上記人差し指用編針群と上記中指用編針群と上記薬指用編針群と上記小指用編針群とを有する四本胴用編針群により編成する四本胴用袋状部形成工程と、
上記四本胴用袋状部形成工程後に、親指用袋状部を編成する親指用袋状部形成工程と、
上記親指用袋状部形成工程の後に、上記四本胴用袋状部及び親指用袋状部から手首方向に連設される袋状の五本胴用袋状部を、上記親指用編針群と上記四本胴用編針群とにより編成する五本胴用袋状部形成工程と
を有し、
上記薬指用袋状部形成工程が、
上記薬指用袋状部の本体部を編成する本体部編成工程と、
上記薬指用袋状部の袋基底部を編成する袋基底部編成工程と
を有し、
この薬指用袋状部形成工程の袋基底部編成工程において、
薬指用編針群のうち前布及び後布の一方を編成する一方の列の編針及びこの一方の列の小指用編針群のうち薬指用編針群に隣接する少なくとも二つのフックに対応する編針により上記環状の袋基底部の一方の面を編成し、
次いで小指用編針群のうち上記袋基底部の一方の面を編成した小指用編針群の編針に対向する他方の列の編針及び薬指用編針群の他方の列の編針により上記環状の袋基底部の他方の面を編成し、
上記中指用袋状部形成工程が、
上記中指用袋状部の本体部を編成する本体部編成工程と、
上記中指用袋状部の袋基底部を編成する袋基底部編成工程と
を有し、
この中指用袋状部形成工程の袋基底部編成工程において、
中指用編針群のうち前布及び後布の一方を編成する一方の列の編針及びこの一方の列の薬指用編針群のうち中指用編針群に隣接する少なくとも二つのフックに対応する編針により上記環状の袋基底部の一方の面を編成し、
次いで薬指用編針群のうち上記袋基底部の一方の面を編成した薬指用編針群の編針に対向する他方の列の編針及び中指用編針群の他方の列の編針により上記環状の袋基底部の他方の面を編成し、
上記人差し指用袋状部形成工程が、
上記人差し指用袋状部の本体部を編成する本体部編成工程と、
上記人差し指用袋状部の袋基底部を編成する袋基底部編成工程と
を有し、
この人差し指用袋状部形成工程の袋基底部編成工程において、
人差し指用編針群のうち前布及び後布の一方を編成する一方の列の編針及びこの一方の列の中指用編針群のうち人差し指用編針群に隣接する少なくとも二つのフックに対応する編針により上記環状の袋基底部の一方の面を編成し、
次いで中指用編針群のうち上記袋基底部の一方の面を編成した中指用編針群の編針に対向する他方の列の編針及び人差し指用編針群の他方の列の編針により袋基底部の他方の面を編成し、
上記親指用袋状部形成工程が、
上記親指用袋状部の本体部を編成する本体部編成工程と、
上記親指用袋状部の袋基底部を編成する袋基底部編成工程と
を有し、
この親指用袋状部形成工程の袋基底部編成工程において、
親指用編針群のうち前布及び後布の一方を編成する一方の列の編針及びこの編針に隣接する一方の列の人差し指用編針群のうち親指用編針群に隣接する少なくとも二つのフックに対応する編針により上記環状の袋基底部の一方の面を編成し、
次いで人差し指用編針群のうち上記袋基底部の一方の面を編成した人差し指用編針群の編針に対向する他方の列の編針及び親指用編針群の他方の列の編針により袋基底部の他方の面を編成する
ことを特徴とする手袋製造方法。
【請求項８】
１３ゲージ以上で編成されている請求項１から請求項７の何れか１項に記載の手袋製造方法。
【請求項９】
請求項１から請求項８の何れか１項に記載の手袋製造方法と、
上記手袋製造方法により製造された手袋の少なくとも掌領域にコーティング層を形成するコーティング層形成工程と
を有するコーティング手袋製造方法。
【請求項１０】
横編み機を用いて編成された前布及び後布により胴用の袋状部と、胴用の袋状部から突設される各指に対応する複数の指用の袋状部とが構成される手袋であって、
上記袋状部が、本体部と、本体部から手首方向に連設される環状の袋基底部とを有し、
少なくとも何れかの一つの袋状部の袋基底部が、
上記本体部の前布から手首方向に連設される前面部位、
この前面部位と同一コースで連続し、上記袋状部の一方側に隣接する他の袋状部の袋基底部の他方側の少なくとも二目の前布から手首方向に連設される袋状部連結前側部位、
この袋状部連結前側部位と同一コースで連続し、上記袋状部の一方側に隣接する他の袋状部の袋基底部の他方側の少なくとも二目の後布から手首方向に連設される袋状部連結後側部位、及び
この袋状部連結後側部位と同一コースで連続し、上記本体部の後布から手首方向に連設される後面部位
を有することを特徴とする手袋。
【請求項１１】
袋状部間の指股部に、前布と後布とを連結する前後布連結部を
さらに有する請求項１０に記載の手袋。
【請求項１２】
上記前後布連結部が、上記袋状部連結前側部位及び上記袋状部連結後側部位のウェール方向に設けられている請求項１１に記載の手袋。
【請求項１３】
上記前後布連結部が、上記前面部位、袋状部連結前側部位、袋状部連結後側部位及び後面部位よりも手首方向に設けられている請求項１１又は請求項１２に記載の手袋。
【請求項１４】
少なくとも二つの袋状部の袋基底部が、それぞれ上記前面部位、袋状部連結前側部位、袋状部連結後側部位、後面部位及び前後布連結部を有し、
この少なくとも二つの袋状部の袋基底部の前後布連結部が、同一コースで設けられている請求項１３に記載の手袋。
【請求項１５】
１３ゲージ以上で編成されている請求項１０から請求項１４の何れか１項に記載の手袋。
【請求項１６】
請求項１０から請求項１５の何れか１項に記載の手袋と、
上記手袋の少なくとも掌領域に形成されたコーティング層と
を有するコーティング手袋。
【国際調査報告】
2013129336.tif 000011
2013129336.tif 000012
2013129336.tif 000013
2013129336.tif 000014